(57)【要約】  本発明は、フェムトセルをサポートする広帯域無線通信システムにおけるフェムトセル基地局のシステム情報送信に関するものであり、フェムト基地局の動作方法は、予め決められた互いに異なる構造を有するサブフレームのうち少なくとも２種類以上のサブフレームを含むサブフレームセットを構成する過程と、前記サブフレームセットの送信のためのサブフレーム区間が到来すると、予め決められた順番によって前記サブフレームセットに含まれたサブフレームのうち一つを送信する過程と、を含む。前記予め定義された互いに異なる構造を有するサブフレームは、同期信号及びＭＩＢを含む第１タイプサブフレームと、前記同期信号を含む第２タイプサブフレームと、前記同期信号及びシステム情報を含む第３タイプサブフレームと、前記同期信号、前記ＭＩＢ及び前記システム情報を含む第４タイプサブフレームと、前記システム情報を含む第５タイプサブフレームと、を含む。
2012523745.tif 000002
【特許請求の範囲】
【請求項１】
フェムトセルをサポートする広帯域無線通信システムにおけるフェムト基地局の動作方法において、
予め定義された互いに異なる構造を有するサブフレームのうち少なくとも２種類以上のサブフレームを含むサブフレームセットを構成する過程と、
前記サブフレームセットの送信のためのサブフレーム区間が到来すると、予め決められた順番によって前記サブフレームセットに含まれたサブフレームのうち一つを送信する過程と、
を含み、
前記予め定義された互いに異なる構造を有するサブフレームは、
同期信号及びＭＩＢを含む第１タイプサブフレームと、
前記同期信号を含む第２タイプサブフレームと、
前記同期信号及びシステム情報を含む第３タイプサブフレームと、
前記同期信号、前記ＭＩＢ及び前記システム情報を含む第４タイプサブフレームと、
前記システム情報を含む第５タイプサブフレームと、
を含み、
前記サブフレームセットに含まれる前記同期信号は、前記フェムトセル基地局の動作周波数帯域を介して送信される同期信号と同じであることを特徴とする方法。
【請求項２】
フェムトセルをサポートする広帯域無線通信システムにおけるフェムト基地局の装置において、
予め定義された互いに異なる構造を有するサブフレームのうち少なくとも２種類以上のサブフレームを含むサブフレームセットを構成する制御部と、
前記サブフレームセットの送信のためのサブフレーム区間が到来すると、予め決められた順番によって前記サブフレームセットに含まれたサブフレームのうち一つを送信する送信部と、
を含み、
前記予め定義された互いに異なる構造を有するサブフレームは、
同期信号及びＭＩＢを含む第１タイプサブフレームと、
前記同期信号を含む第２タイプサブフレームと、
前記同期信号及びシステム情報を含む第３タイプサブフレームと、
前記同期信号、前記ＭＩＢ及び前記システム情報を含む第４タイプサブフレームと、
前記システム情報を含む第５タイプサブフレームと、
を含み、
前記サブフレームセットに含まれる前記同期信号は、前記フェムトセル基地局の動作周波数帯域を介して送信される同期信号と同じであることを特徴とする装置。
【請求項３】
前記サブフレームセットの送信のためのサブフレーム区間は、５つのサブフレーム区間を周期に到来することを特徴とする請求項１に記載の方法又は請求項２に記載の装置。
【請求項４】
前記システム情報は、下記表に示したパラメータのうち少なくとも一つを含むことを特徴とする請求項１に記載の方法又は請求項２に記載の装置。
【表１】
2012523745.tif 000007
【請求項５】
前記サブフレームセットに含まれたサブフレームは、前記フェムト基地局の上位基地局の動作周波数帯域で送信されることを特徴とする請求項４に記載の方法又は装置。
【請求項６】
前記システム情報は、前記ＭＩＢと同じ構造を有し、前記システム情報を示すＣＲＣマスクを利用してＣＲＣ処理されることを特徴とする請求項５に記載の方法又は装置。
【請求項７】
前記サブフレームセットは、予め設定されたシステム情報転送周期ごとに予め設定されたバースト区間の間送信され、
前記システム情報転送周期及び前記バースト区間は、フレーム単位で定義されることを特徴とする請求項５に記載の方法又は装置。
【請求項８】
前記サブフレームセットに含まれるサブフレームは、前記上位基地局又は上位網要素によって割り当てられたシステム情報送信区間を介して送信されることを特徴とする請求項５に記載の方法又は装置。
【請求項９】
前記サブフレームセットに含まれたサブフレームそれぞれは、サブフレームの始めの部分に制御チャンネルを含むことを特徴とする請求項１に記載の方法又は請求項２に記載の装置。
【請求項１０】
前記システム情報は、ＳＩＢ、ＳＩＢｘ及びＳＩＢ−ＩＷのうち一つ又は２つ以上を組み合わせた形で送信されることを特徴とする請求項１に記載の方法又は請求項２に記載の装置。
【請求項１１】
広帯域無線通信システムにおける基地局の動作方法において、
予め定義された互いに異なる構造を有するサブフレームのうち少なくとも２種類以上のサブフレームを含むサブフレームセットを構成する過程と、
毎５つのサブフレーム区間が経過するたびに、予め決められた順番によって前記サブフレームセットに含まれたサブフレームのうち一つを送信する過程と、
を含み、
前記予め定義された互いに異なる構造を有するサブフレームは、
同期信号及びＭＩＢを含む第１タイプサブフレームと、
前記同期信号を含む第２タイプサブフレームと、
前記同期信号、前記ＭＩＢ及び参照信号を含む第３タイプサブフレームと、
前記同期信号及び参照信号を含む第４タイプサブフレーム、
システム情報を含む第５タイプサブフレームと、
を含むことを特徴とする方法。
【請求項１２】
広帯域無線通信システムにおける基地局の装置において、
予め定義された互いに異なる構造を有するサブフレームのうち少なくとも２種類以上のサブフレームを含むサブフレームセットを構成する制御部と、
毎５つのサブフレーム区間が経過するたびに、予め決められた順番によって前記サブフレームセットに含まれたサブフレームのうち一つを送信する送信部と、
を含み、
前記予め定義された互いに異なる構造を有するサブフレームは、
同期信号及びＭＩＢを含む第１タイプサブフレームと、
前記同期信号を含む第２タイプサブフレームと、
前記同期信号、前記ＭＩＢ及び参照信号を含む第３タイプサブフレームと、
前記同期信号及び参照信号を含む第４タイプサブフレームと、
システム情報を含む第５タイプサブフレームと、
を含むことを特徴とする装置。
【請求項１３】
前記サブフレームセットは、一つの前記第１タイプサブフレーム及び一つの前記第２タイプサブフレームを含み、
前記予め決められた順番によって前記サブフレームセットに含まれたサブフレームのうち一つを送信する過程は、
前記第１タイプサブフレーム及び前記第２タイプサブフレームを、５つのサブフレーム区間を周期に交替に送信する過程を含むことを特徴とする請求項１１に記載の方法又は請求項１２に記載の装置。
【請求項１４】
前記一つの前記第１タイプサブフレーム及び前記一つの前記第２タイプサブフレームを含むサブフレームセットは、前記基地局に接続された端末が存在しない場合、及び少なくとも一つの端末が接続されているが通信を行わない場合のうち一つであるとき使用されることを特徴とする請求項１３に記載の方法。
【請求項１５】
前記第１タイプサブフレーム及び前記第２タイプサブフレームのうち一つを介して周期的にシステム情報を送信する過程を更に含むことを特徴とする請求項１４に記載の方法。
【請求項１６】
前記サブフレームセットの送信周期と独立的な周期によって前記第５タイプサブフレームを送信する過程を更に含むことを特徴とする請求項１４に記載の方法。
【請求項１７】
前記第１タイプサブフレーム及び前記第２タイプサブフレームのうち一つを介して周期的にシステム情報を送信する過程と、
前記サブフレームセットの送信周期と独立的な周期によって前記第５タイプサブフレームを送信する過程と、を更に含むことを特徴とする請求項１２に記載の装置。
【請求項１８】
前記サブフレームセットは、一つの前記第３タイプサブフレーム及び一つの前記第４タイプサブフレームを含み、
前記予め決められた順番によって前記サブフレームセットに含まれたサブフレームうち一つを送信することは、
前記第３タイプサブフレーム及び前記第４タイプサブフレームを、５つのサブフレーム区間を周期に交替に送信することを含むことを特徴とする請求項１１に記載の方法又は請求項１２に記載の装置。
【請求項１９】
前記一つの前記第３タイプサブフレーム及び前記一つの前記第４タイプサブフレームを含むサブフレームセットは、前記基地局に接続された端末が存在しない場合、及び少なくとも一つの端末が接続されているが通信を行わない場合のうち一つであるとき使用されることを特徴とする請求項１８に記載の方法又は装置。
【発明の詳細な説明】
【技術分野】
【０００１】
本発明は広帯域無線通信システムに関するものであり、特に、フェムト（ｆｅｍｔｏ）セルをサポートする広帯域無線通信システムにおけるＳＩＢ（Ｓｙｓｔｅｍ  Ｉｎｆｏｒｍａｔｉｏｎ  Ｂｌｏｃｋ）を送信するための装置及びその方法に関するものである。
【背景技術】
【０００２】
最近、無線通信システムの性能向上のために関心が高まっている小型屋内基地局は、移動通信網の拡張、サービス品質の向上及び屋内網サービスの統合などの課題を同時に解決できる方案である。これによって、現在多くの開発企業によって前記小型屋内基地局に対する開発が進められており、また、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍなどの標準化団体でも、これに必要な標準化作業を進行中である。
【０００３】
よくフェムトセル（ｆｅｍｔｏｃｅｌｌ）と呼ばれる超小型屋内基地局は、安価な価格で基地局を室内に設置することで、使用者をして通信機器の交替及び別途の操作なく室内でも安価な価格で高速のデータサービスを使用し続けられるようにする。特に、サービス陰影地域に位置する使用者に、まるで屋外基地局のすぐ側にいるのと同じ品質のサービスを提供することができるため、移動通信事業者や使用者にとって魅力的な代案であるといえる。
【０００４】
フェムトセル及びマクロセル（Ｍａｃｒｏｃｅｌｌ）が同じ周波数で動作する場合が考えられ、また、互いに異なる周波数で動作する場合が考えられる。前記フェムトセル及び前記マクロセルが同じ周波数で動作する場合、マクロ基地局と通信を行っている端末が移動中に前記フェムトセル領域に進入すると、前記端末は前記フェムトセルの信号を受信することができる。これによって、前記端末は前記フェムトセル信号の受信電力をマクロセル信号の受信電力と比べ、前記フェムトセル領域を探知した後、前記フェムトセルにハンドオーバを行ってもよい。一方、前記フェムトセル及び前記マクロセルが互いに異なる周波数で動作する場合、前記端末が前記フェムトセルの信号及び領域を探知するため、前記端末は前記マクロセルの周波数で前記フェムトセルの周波数に動作周波数を変更した後、前記フェムトセルの信号をスキャニング（ｓｃａｎｎｉｎｇ）しなければならない。 
【０００５】
前記フェムトセルは、前記マクロセルのどの位置にでも設置されてもよく、また、数多くのフェムトセルが設置されてもよい。従って、前記端末は、マクロセル内のどの位置においてでも、常にフェムトセルが使用可能な全ての周波数でスキャニングを行わなければならない。周波数間スキャニング（Ｉｎｔｅｒ−ｆｒｅｑｕｅｎｃｙ  ｓｃａｎｎｉｎｇ）は、マクロ基地局と信号を送受信する連結モード（ｃｏｎｎｅｃｔｅｄ  ｍｏｄｅ）状態である端末の通信性能を低下させ、また、信号を送受信しないアイドルモード（ｉｄｌｅ  ｍｏｄｅ）状態である端末の電力消費を増加させる。そして、前記フェムトセルは、少なくとも一つの特定端末の接続を許容しなくてもよく、フェムトセル毎に接続可能な端末が予め制限されている。接続が可能か否かを調べるために前記端末は前記フェムトセルのＳＩＢを読まなければならないため、充分はスキャニング時間が確保されるべきである。このように、前記フェムトセルが前記マクロセルと異なる周波数で動作する場合、前記マクロセルに接続中の端末が通信の性能を低下させると共に、電力消耗を増加させる問題が発生する。更に、前記マクロセル及び前記フェムトセルが異なる周波数を使用するだけでなく、異なる無線アクセス技術（ＲＡＴ：Ｒａｄｉｏ  Ａｃｃｅｓｓ  Ｔｅｃｈｎｏｌｏｇｙ）を使用する場合、前記端末は前記周波数間スキャニング及び無線アクセス技術間スキャニング（Ｉｎｔｅｒ−ＲＡＴ  ｓｃａｎｎｉｎｇ）を行わなければならないため、通信性能低下及び端末電力消耗問題は更に深まっていく。従って、上述した問題点を解決し、フェムトセルの探知及びフェムトセルのＳＩＢ受信を容易に行うための代案が提示されるべきである。
【発明の概要】
【発明が解決しようとする課題】
【０００６】
上述した従来技術の問題点を解決するため、本発明の目的は、フェムトセルをサポートする広帯域無線通信システムにおけるフェムトセルの適用によるシステムの性能低下を防止するための装置及びその方法を提供することにある。
【０００７】
本発明の他の目的は、フェムトセルをサポートする広帯域無線通信システムにおける端末が、フェムト基地局の動作周波数とは関係なくフェムトセルのシステム情報を受信するための装置及びその方法を提供することにある。
【０００８】
本発明の更に他の目的は、フェムトセルをサポートする広帯域無線通信システムにおいて、マクロ基地局との同期なくフェムトセルのシステム情報を送信するための装置及びその方法を提供することにある。
【０００９】
本発明の更に他の目的は、フェムトセルをサポートする広帯域無線通信システムにおいて、フェムト基地局を認識するために行われるブラインド検出の演算量を減少させるための装置及びその方法を提供することにある。
【００１０】
本発明の更に他の目的は、フェムトセルをサポートする広帯域無線通信システムにおいて、マクロ基地局とフェムト基地局が同じ周波数帯域で動作する場合と同じ性能でフェムトセルのシステム情報を送信するための装置及びその方法を提供することにある。
【課題を解決するための手段】
【００１１】
上述した目的は、広帯域無線通信システムにおいて、システム情報ブロックを送信する装置及びその方法を提供することで達成される。
【００１２】
前記目的を達成するための本発明の第１見地によると、フェムトセルをサポートする広帯域無線通信システムにおけるフェムト基地局の動作方法は、予め定義された互いに異なる構造を有するサブフレームのうち少なくとも２種類以上のサブフレームを含むサブフレームセット（ｓｅｔ）を構成する過程と、前記サブフレームセットの送信のためのサブフレーム区間が到来すると、予め決まられた手順に従って前記サブフレームセットに含まれたサブフレームのうち一つを送信する過程と、を含み、前記予め定義された互いに異なる構造を有するサブフレームは、同期信号及びＭＩＢを含む第１タイプサブフレームと、前記同期信号を含む第２タイプサブフレームと、前記同期信号及びシステム情報を含む第３タイプサブフレームと、前記同期信号、前記ＭＩＢ及び前記システム情報を含む第４タイプサブフレームと、前記システム情報を含む第５タイプサブフレームと、を含み、前記サブフレームセットに含まれる前記同期信号は、前記フェムトセル基地局の動作周波数帯域を介して送信される同期信号と同じであることを特徴とする。
【００１３】
前記目的を達成するための本発明の第２見地によると、広帯域無線通信システムにおける基地局の動作方法は、予め定義された互いに異なる構造を有するサブフレームのうち少なくとも２種類以上のサブフレームを含むサブフレームセットを構成する過程と、毎５つのサブフレーム区間が経過するたびに、予め決まられた手順によって前記サブフレームセットに含まれたサブフレームのうち一つを送信する過程と、を含み、前記予め定義された互いに異なる構造を有するサブフレームは、同期信号及びＭＩＢを含む第１タイプサブフレームと、前記同期信号を含む第２タイプサブフレームと、前記同期信号、前記ＭＩＢ及び参照信号を含む第３タイプサブフレームと、前記同期信号及び参照信号を含む第４タイプサブフレームと、システム情報を含む第５タイプサブフレームと、を含むことを特徴とする。
【００１４】
前記目的を達成するための本発明の第３見地によると、フェムトセルをサポートする広帯域無線通信システムにおけるフェムト基地局の装置は、予め定義された互いに異なる構造を有するサブフレームのうち少なくとも２種類以上のサブフレームを含むサブフレームセットを構成する制御部と、前記サブフレームセットの送信のためのサブフレーム区間が到来すると、予め決まられた手順によって前記サブフレームセットに含まれたサブフレームのうち一つを送信する送信部と、を含み、前記予め定義された互いに異なる構造を有するサブフレームは、同期信号及びＭＩＢを含む第１タイプサブフレームと、前記同期信号を含む第２タイプサブフレームと、前記同期信号及びシステム情報を含む第３タイプサブフレームと、前記同期信号、前記ＭＩＢ及び前記システム情報を含む第４タイプサブフレームと、前記システム情報を含む第５タイプサブフレームと、を含み、前記サブフレームセットに含まれる前記同期信号は、前記フェムトセル基地局の動作周波数帯域を介して送信される同期信号と同じであることを特徴とする。
【００１５】
前記目的を達成するための本発明の第４見地によると、広帯域無線通信システムにおける基地局の装置は、予め定義された互いに異なる構造を有するサブフレームのうち少なくとも２種類以上のサブフレームを含むサブフレームセットを構成する制御部と、毎５つのサブフレーム区間が経過するたびに、予め決まられた手順によって前記サブフレームセットに含まれたサブフレームのうち一つを送信する送信部と、を含み、前記予め定義された互いに異なる構造を有するサブフレームは、同期信号及びＭＩＢを含む第１タイプサブフレームと、前記同期信号を含む第２タイプサブフレームと、前記同期信号、前記ＭＩＢ及び参照信号を含む第３タイプサブフレームと、前記同期信号及び参照信号を含む第４タイプサブフレームと、システム情報を含む第５タイプサブフレームと、を含むことを特徴とする。
【００１６】
本発明及び本発明の長所に対する更に完全な理解のため、後述する詳細な説明とともに参照番号が付された図面が提供されている。
【図面の簡単な説明】
【００１７】
【図１】本発明で考慮する広帯域無線通信システムにおけるセル構造を示す図である。
【図２】本発明の実施例による広帯域無線通信システムにおいて、非同期方式によるＳＩＢ−ＩＷ（Ｓｙｓｔｅｍ  Ｉｎｆｏｒｍａｔｉｏｎ  Ｂｌｏｃｋ−ＩｎｔｅｒＷｏｒｋｉｎｇ）送信を概略的に示す図である。
【図３】本発明の実施例による広帯域無線通信システムにおいて、非同期方式によるＳＩＢ−ＩＷ送信を概略的に示す図である。
【図４】本発明の実施例による広帯域無線通信システムにおいて、非同期方式によって送信されるＳＩＢ−ＩＷの物理階層構造を示す図である。
【図５】本発明の実施例による広帯域無線通信システムにおいて、非同期方式によって送信されるＳＩＢ−ＩＷの物理階層構造を示す図である。
【図６】本発明の実施例による広帯域無線通信システムにおいて、非同期方式によるＳＩＢ−ＩＷサブフレームの送信を概略的に示す図である。
【図７】本発明の実施例による広帯域無線通信システムにおいて、非同期方式によるＳＩＢ−ＩＷサブフレームの送信を概略的に示す図である。
【図８】本発明の実施例による広帯域無線通信システムにおいて、非同期方式によるＳＩＢ−ＩＷサブフレームの送信を概略的に示す図である。
【図９】本発明の第１実施例による広帯域無線通信システムにおいて、上位基地局（ｅｎｈａｎｃｅｄ  Ｎｏｄｅ−Ｂ）の動作の手順を示す図である。
【図１０】本発明の第１実施例による広帯域無線通信システムにおいて、下位基地局（Ｈｏｍｅ  ｅｎｈａｎｃｅｄ  Ｎｏｄｅ−Ｂ）の動作の手順を示す図である。
【図１１】本発明の第１実施例による広帯域無線通信システムにおいて、端末（Ｕｓｅｒ  Ｅｑｕｉｐｍｅｎｔ）の動作の手順を示す図である。
【図１２】本発明の第２実施例による広帯域無線通信システムにおいて、下位基地局の動作の手順を示す図である。
【図１３】本発明の第２実施例による広帯域無線通信システムにおいて、端末の動作の手順を示す図である。
【図１４】本発明の第３実施例による広帯域無線通信システムにおいて、下位基地局の動作の手順を示す図である。
【図１５】本発明の第３実施例による広帯域無線通信システムにおいて、端末の動作の手順を示す図である。
【図１６】本発明の第４実施例による広帯域無線通信システムにおいて、端末の動作の手順を示す図である。
【図１７】本発明の第５実施例による広帯域無線通信システムにおいて、端末の動作の手順を示す図である。
【図１８】本発明の実施例による広帯域無線通信システムにおいて、下位基地局のシステム情報送信周期の例を示す図である。
【図１９】本発明の実施例による広帯域無線通信システムにおいて、上位基地局のブロック構成を示す図である。
【図２０】本発明の実施例による広帯域無線通信システムにおいて、下位基地局のブロック構成を示す図である。
【図２１】本発明の実施例による広帯域無線通信システムにおいて、端末のブロック構成を示す図である。
【発明を実施するための形態】
【００１８】
前記図面において、参照番号は、同じであるか類似した要素、特徴、構造を説明するために使用される。
【００１９】
以下で説明される図１から図２１を介して、本明細書において、本発明の原理を説明するために使用される多様な実施例は一例に過ぎず、本発明は本明細書の範囲に限らない。当業者にとって、本発明の原理は、いかなる種類の無線通信システムにも適用され得るということは自明である。
【００２０】
以下、本発明は、フェムトセル（ｆｅｍｔｏｃｅｌｌ）をサポートする広帯域無線通信システムにおいて、前記フェムトセルの適用によるシステムの性能低下を防止するための技術について説明する。特に、本発明は基地局がＯＦＤＭ（Ｏｒｔｈｏｇｏｎａｌ  ｆｒｅｑｕｅｎｃｙ  Ｄｉｖｉｓｉｏｎ  Ｍｕｌｔｉｐｌｅｘｉｎｇ）方式でダウンリンク信号を送信する無線通信システムを想定し、物理階層でのＳＩＢ送信に関するものである。
【００２１】
図１は、本発明で考慮する広帯域無線通信システムのセル構造を示している。前記図１を参照すると、２種類の基地局、即ち、上位基地局１１０及び下位基地局１２０が存在し、前記上位基地局１１０及び前記下位基地局１２０は、互いに異なる大きさのセルを管理する。即ち、前記上位基地局１１０は相対的に広いセルを有し、前記下位基地局１２０は相対的に狭いセルを有する。これによって、前記図１に示したように、前記下位基地局１２０のセルは前記上位基地局１１０のセルに含まれる形で構成される。例えば、前記下位基地局１２０は、ＨｅＮＢ（Ｈｏｍｅ  ｅｎｈａｎｃｅｄ  Ｎｏｄｅ−Ｂ）、フェムト基地局、屋内（ｉｎｄｏｏｒ）基地局などとして称されてもよく、前記上位基地局１１０は、マクロｅＮＢ（ｅｎｈａｎｃｅｄ  Ｎｏｄｅ−Ｂ）、マクロ基地局、屋外基地局などとして称されてもよい。
【００２２】
本発明の実施例によるシステムは、インバウンドモビリティ（ｉｎｂｏｕｎｄ  ｍｏｂｉｌｉｔｙ）をサポートする。前記インバウンドモビリティは、前記上位基地局１１０から前記下位基地局１２０へのハンドオーバ（ｈａｎｄｏｖｅｒ）を意味する。即ち、端末（ＵＥ：Ｕｓｅｒ  Ｅｑｕｉｐｍｅｎｔ）は、前記上位基地局１１０の間、前記下位基地局１２０の間、又は、前記上位基地局１１０及び前記下位基地局１２０の間におけるハンドオーバを行ってもよい。このため、前記端末は、前記上位基地局１１０及び前記下位基地局１２０のそれぞれのシステム情報（ｓｙｓｔｅｍ  ｉｎｆｏｒｍａｔｉｏｎ）を受信しなければならない。この際、前記下位基地局１２０のセルは前記上位基地局１１０のセルに含まれているため、前記下位基地局１２０のシステム情報送信は、単一階層のセルのみで構成されたシステムで使用される方式とは異なる方式によって行われる。特に、前記上位基地局１１０に接続して前記上位基地局１１０の搬送波周波数（ｃａｒｒｉｅｒ  ｆｒｅｑｕｅｎｃｙ）で動作する端末が前記下位基地局１２０のシステム情報を受信し得るように、前記下位基地局１２０は以下で説明される本発明の実施例によってシステム情報を送信する。
【００２３】
前記下位基地局の領域に進入した端末が前記下位基地局を探知するために、前記下位基地局は周期的に上位基地局が使用するダウンリンク搬送波周波数を介してＳＩＢを送信する。前記ＳＩＢは前記下位基地局のシステム情報を含んでおり、以下、本発明は前記下位基地局のＳＩＢを「ＳＩＢ−ＩＷ」又は「ＳＩＢｘ」と称する。例えば、前記下位基地局のシステム情報であるＳＩＢ−ＩＷ又はＳＩＢｘは、下記＜表１＞のようなパラメータのうち少なくとも一つを含む。
【００２４】
【表１】
2012523745.tif 000003
【００２５】
前記ＳＩＢｘは、周波数間（ｉｎｔｅｒ−ｆｒｅｑｕｅｎｃｙ）において動作するのか又は周波数内（ｉｎｔｒａ−ｆｒｅｑｕｅｎｃｙ）において動作するのか否かとは関係なく、接続制御を必要とする基地局によって送信される。特に、周波数間おいて動作する基地局が送信する場合、前記ＳＩＢｘ転送基地局のサービング搬送波周波数ＩＥ（ｓｅｒｖｉｎｇ  ｃａｒｒｉｅｒ  ｆｒｅｑｕｅｎｃｙ  Ｉｎｆｏｒｍａｔｉｏｎ  Ｅｌｅｍｅｎｔ）が前記ＳＩＢｘに追加的に含まれてもよい。例えば、前記サービング搬送波周波数ＩＥは、前記ＳＩＢｘを転送する基地局のサービング搬送波周波数、帯域の大きさ、システムフレーム番号、周波数バンド指示子（ｆｒｅｑｕｅｎｃｙＢａｎｄＩｎｄｉｃａｔｏｒ）のうち少なくとも一つを含むという意味である。ここで、前記周波数バンド指示子は予め定義された周波数帯域の識別番号であり、例えば、１．８Ｇｈｚ帯域であるのか、又は２．５Ｇｈｚ帯域であるのかなどを区分する。
【００２６】
また、インター−ＲＡＴ（ｉｎｔｅｒ−ＲＡＴ）にＳＩＢｘが転送される場合、前記ＳＩＢｘを転送する基地局のサービング搬送波周波数ＩＥ及びＲＡＴ指示子（ＲＡＴ  ｉｎｄｉｃａｔｏｒ）が追加的に送信されなければならない。前記ＳＩＢｘにサービング搬送波周波数ＩＥが含まれないということは、前記ＳＩＢｘを送信する基地局が、前記ＳＩＢｘが送信される周波数で動作していることを意味し、前記ＳＩＢｘに前記ＲＡＴ指示子が含まれないということは、前記ＳＩＢｘを送信する基地局が、前記ＳＩＢｘが送信される周波数で動作するマクロ基地局と同じＲＡＴを使用することを意味する。即ち、前記ＳＩＢｘを送信する基地局が周波数内として動作する場合、前記ＳＩＢｘは前記サービングキャリア波周波数ＩＥ及びＲＡＴ指示子を含まなくてもよい。
【００２７】
例えば、前記上位基地局の搬送波周波数がｆ１で、前記下位基地局の搬送波周波数がｆ２である場合、前記下位基地局は、前記搬送波周波数ｆ１を介して自らのシステム情報を含むＳＩＢ−ＩＷを周期的に送信する。前記下位基地局領域に進入した端末が前記ＳＩＢ−ＩＷを成功的にデコーディング（ｄｅｃｏｄｉｎｇ）したのであれば、前記端末は前記下位基地局の領域に進入したことを認知するようになる。これによって、前記端末は前記ＳＩＢ−ＩＷに含まれた情報を利用して前記下位基地局に接続可能であるのか否かを判断し、前記下位基地局にハンドオーバを行ってもよい。
【００２８】
以下で説明される本発明の実施例は、前記ＳＩＢ−ＩＷの送信方法は周波数間シナリオだけでなく、周波数内シナリオでも同じく適用されてもよい。ここで、前記周波数間シナリオとは、下位基地局が上位基地局の動作周波数以外の周波数帯域で動作する環境を意味し、前記周波数内シナリオとは、下位基地局が上位基地局の動作周波数内で動作する環境を意味する。また、前記下位基地局及び前記上位基地局が互いに異なる無線アクセス技術を使用する場合でも、ハンドオーバを容易に行うため、前記ＳＩＢ−ＩＷはフェムトセルに適用された無線アクセス技術に対する情報を含んでもよい。
【００２９】
物理階層送信観点から調べてみると、前記ＳＩＢ−ＩＷは、以下の２つの方式のうち一つによって送信されてもよい。
【００３０】
まず、同期送信方式として、下位基地局が上位基地局と時間及び周波数同期を合わせて前記ＳＩＢ−ＩＷを送信する方式である。即ち、前記上位基地局は前記ＳＩＢ−ＩＷが送信される時間及び周波数資源を割り当て、前記資源の割り当て情報を端末に提供する。以下、本発明は前記ＳＩＢ−ＩＷの送信のためのスケジューリング情報を「ＳＩＢ−ＩＷ設定情報（ｃｏｎｆｉｇｕｒａｔｉｏｎ  ｉｎｆｏｒｍａｔｉｏｎ）」と称する。この際、前記下位基地局は前記割り当て情報を予め決められたように認識するか、又は、前記上位基地局から有線チャンネル或いは無線チャンネルを介して伝達される。これによって、前記下位基地局は割り当てられた時間及び周波数資源を介して前記ＳＩＢ−ＩＷを送信する。そして、前記端末が前記下位基地局に近接した場合、前記端末は前記下位基地局から送信された前記ＳＩＢ−ＩＷを受信する。
【００３１】
次に、非同期送信方式として、下位基地局が上位基地局に時間同期を合わせずＳＩＢ−ＩＷを送信する方式である。前記下位基地局は、前記上位基地局の動作周波数を介して前記ＳＩＢ−ＩＷを周期的に送信するが、前記ＳＩＢ−ＩＷと共に同期信号を送信する。ここで、前記同期信号は、端末の同期獲得のために予め定義されたシーケンス（ｓｅｑｕｅｎｃｅ）で構成された物理的信号を意味する。この場合、前記上位基地局は、前記下位基地局がいつ前記ＳＩＢ−ＩＷを送信するのかを分からず、端末もいつ前記ＳＩＢ−ＩＷが送信されるのか事前に通報されない。しかし、前記上位基地局と通信中の端末は、前記下位基地局から送信される同期信号を利用して前記ＳＩＢ−ＩＷ信号の存在を判断した後、前記ＳＩＢ−ＩＷを受信してもよい。
【００３２】
但し、前記非同期送信方式は干渉発生の可能性が存在するため、前記下位基地局が送信するＳＩＢ−ＩＷによる干渉を最小化するために、前記上位基地局は特定時間及び周波数資源を下位基地局がＳＩＢ−ＩＷを送信できるように調整（ｃｏｏｒｄｉｎａｔｉｏｎ）してもよい。この場合、前記下位基地局が前記ＳＩＢ−ＩＷを送信する資源位置は決められていても、前記下位基地局が前記上位基地局と時間及び周波数同期を獲得しないため、非同期送信方式に含まれる。
【００３３】
端末が上位基地局から前記ＳＩＢ−ＩＷ設定情報を獲得する手順は以下のようである。
【００３４】
前記ＳＩＢ−ＩＷが非同期方式で送信される場合、前記ＳＩＢ−ＩＷ情報の獲得手順は以下のようである。非同期方式であるため、前記上位基地局は前記ＳＩＢ−ＩＷ設定情報を送信しない。従って、前記端末はＳＩＢ−ＩＷを受信するため、前記下位基地局の同期信号を検出しなければならない。前記同期信号は、ＰＳＣＨ（Ｐｈｙｓｉｃａｌ  Ｓｙｎｃｈｒｏｎｉｚａｔｉｏｎ  Ｃｈａｎｎｅｌ）を介して送信される予め約束された値を有する信号である。例えば、前記同期信号は、ＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄａｒｙ  Ｓｙｎｃｈｒｏｎｉｚａｔｉｏｎ）を含む。
【００３５】
上述したように送信されるＳＩＢ−ＩＷの物理階層は、以下のような過程を介して設計される。まず、前記ＳＩＢ−ＩＷが送信されるフレームタイプ（ｆｒａｍｅ  ｔｙｐｅ）別に資源割り当て（ｒｅｓｏｕｒｃｅ  ａｌｌｏｃａｔｉｏｎ）が決定される。次に、前記資源割り当ての形態によってパイロットパターン（ｐｉｌｏｔ  ｐａｔｔｅｒｎ）が決定され、データ送信に使用可能なＯＦＤＭＡシンボル（ｓｙｍｂｏｌ）の個数が計算される。前記ＳＩＢ−ＩＷは下位基地局によって送信される更に他のＳＩＢと同じであるか少なくとも似ているカバレッジ（ｃｏｖｅｒａｇｅ）を有しなければならないため、前記下位基地局の送信電力を考慮してＭＣＳ（Ｍｏｄｕｌａｔｉｏｎ  ａｎｄ  Ｃｏｄｉｎｇ  Ｓｃｈｅｍｅ）レベルが決定される。また、端末が受信したＳＩＢ−ＩＷを各下位基地局別に区分できるようにスクラブリングコード（ｓｃｒａｍｂｌｉｎｇ  ｃｏｄｅ）が決定され、前記ＳＩＢ−ＩＷのために設計された物理資源ブロック（ｐｈｙｓｉｃａｌ  ｒｅｓｏｕｒｃｅ  ｂｌｏｃｋ）内に実際のデータ資源（ｔｏｎｅ）の位置を取ることができるよう、資源マッピング（ｒｅｓｏｕｒｃｅ  ｍａｐｐｉｎｇ）及び送信レイヤマッピング（ｌａｙｅｒ  ｍａｐｐｉｎｇ）が決定される。
【００３６】
図２及び図３は、本発明の実施例による広帯域無線通信システムにおいて、非同期方式によるＳＩＢ−ＩＷサブフレームの送信を概略的に示している。即ち、図２は、上位基地局及び下位基地局の間でシンボル動機が一致しない場合のＳＩＢ−ＩＷ送信を示している。
【００３７】
前記図２及び前記図３を参照すると、上位基地局２１０のダウンリング搬送波周波数はｆ１であり、下位基地局２２０のダウンリンク搬送波周波数は前記ｆ１以外の周波数である。前記上位基地局２０１は、サブフレームごとに資源割り当て情報を含む制御チャンネル２１１を送信する。ここで、前記制御チャンネル２１１は、ＰＤＣＣＨ（Ｐｈｙｓｉｃａｌ  Ｄｏｗｎｌｉｎｋ  Ｃｏｎｔｒｏｌ  Ｃｈａｎｎｅｌ）と称されてもよい。そして、前記上位基地局２１０は、１番目のサブフレームを介して時間同期のためのＰＳＳ２１３、フレーム同期のためのＳＳＳ２１５及びシステム情報を含むＭＩＢ（Ｍａｓｔｅｒ  Ｉｎｆｏｒｍａｔｉｏｎ  Ｂｌｏｃｋ）２１７を送信し、５番目のサブフレームを介して端末２３０のチャンネル推定のための参照信号２１９を送信し、６番目のサブフレームを介して前記ＰＳＳ２１３及びＳＳＳ２１５を送信する。この際、前記下位基地局２２０は、前記搬送波周波数ｆ１を介して前記ｅＮＢ２１０との同期なくＳＩＢ−ＩＷ２２１を周期的に送信する。ここで、前記ＳＩＢ−ＩＷ２２１の送信のための資源は、前記端末２３０が容易に受信できるように前記上位基地局２１０の中心周波数（ｃｅｎｔｅｒ  ｆｒｅｑｕｅｎｃｙ）を中心に割り当てられることが好ましい。
【００３８】
この際、非同期方式によるＳＩＢ−ＩＷの送信の際、前記上位基地局２１０は、前記ＳＩＢ−ＩＷによる干渉に対する管理のために別途の調整を行っても、又は行わなくてもよい。前記図２は前記干渉を管理しない場合を示し、前記図３は前記干渉を管理する場合を示している。
【００３９】
前記図３を参照すると、前記上位基地局２１０が前記下位基地局２２０から送信される前記ＳＩＢ−ＩＷ２２１による干渉の管理をしない場合、前記下位基地局２２０は、決められた周期によって上位基地局２１０の搬送波周波数を介して新しい内部周波数（ｉｎｔｒａ−ｆｒｅｑｕｅｎｃｙ）基地局のように前記ＳＩＢ−ＩＷ２２１を送信する。これによって、前記上位基地局２１０と通信する前記端末２３０は、前記上基地局２１０によって送信される信号の受信と共に前記内部周波数を介して送信される前記下位基地局２２０の前記ＳＩＢ−ＩＷ２２１を別途に復調及び復号することで、前記下位基地局２２０の存在有無を判断することができる。
【００４０】
前記図３を参照すると、前記上位基地局２１０が前記下位基地局２２０から送信される前記ＳＩＢ−ＩＷ２２１による干渉管理をする場合、前記上位基地局２１０は、一部の時間及び周波数資源を前記下位基地局２２０の前記ＳＩＢ−ＩＷ２２１の送信のために予約する。前記下位基地局２２０は、前記上位基地局２１０が前記ＳＩＢ−ＩＷ２２１の送信のために予約しておいた資源の位置情報を無線インターフェース（ａｉｒ  ｉｎｔｅｒｆａｃｅ）又はバックホール（ｂａｃｋｈａｕｌ）を介して獲得し、該当位置の資源を介して前記ＳＩＢ−ＩＷ２２１を送信する。この場合、前記下位基地局２２０は前記ＳＩＢ−ＩＷ２２１が送信される資源位置のみを制限し、前記上位基地局２１０と厳しい周波数及び時間同期を獲得する必要はない。これによって、前記端末２３０は、予め予約された資源区間において非同期方式で前記下位基地局２２０が送信した前記ＳＩＢ−ＩＷ２２１を受信するようになる。
【００４１】
非同期方式によって前記ＳＩＢ−ＩＷ２２１を送信する前記下位基地局２２０は、前記上位基地局２１０と通信する前記端末２３０が前記ＳＩＢ−ＩＷ２２１を受信できるよう、自らの同期信号を提供しなければならない。ＯＦＤＭ方式を使用するシステムの特徴上、前記端末２３０は同期なくＯＦＤＭＡシンボルを復調することはできないためである。このため、本発明は別途の同期信号を使用せず、前記下位基地局２２０の同期信号、即ち、ＰＳＳ２１３及びＳＳＳ２１５を前記ＳＩＢ−ＩＷ２２１のための周期信号として使用する方案を提案する。非同期方式のＳＩＢ−ＩＷ送信のため、前記下位基地局２２０の同期信号２１３，２１５を使用すると、前記端末２３０は通常のセル検索手順（ｃｅｌｌ  ｓｅａｒｃｈ  ｐｒｏｃｅｄｕｒｅ）をそのまま利用して前記ＳＩＢ−ＩＷ２２１の同期信号を受信できるだけでなく、前記ＳＩＢ−ＩＷ２２１を送信した前記下位基地局２２０の同期信号、即ち、ＰＣＩを自然に分かることができる。もし、３ＧＰＰ  ＬＴＥ（３ｒｄ  Ｇｅｎｅｒａｔｉｏｎ  Ｐａｒｈｎｅｒｓｈｉｐ  Ｐｒｏｊｅｃｔ  Ｌｏｎｇ  Ｔｅｒｍ  Ｅｖｏｌｕｔｉｏｎ）Ｒｅｌｅａｓｅ８システムのセル検索手順をそのまま利用すると、前記端末２３０は、前記同期信号の後連続に送信される４つのシンボルを該当副搬送波周波数で動作する更に他のセルのＭＩＢを受信するように受信することになる。従って、前記ＳＩＢ−ＩＷ２２１は、前記同期信号２１３，２１５及びＳＩＢ−ＩＷ情報２２７を含んで構成される。
【００４２】
但し、前記下位基地局２２０によって送信される非同期方式のＳＩＢ−ＩＷ２２１内のＭＩＢ、即ち、前記ＳＩＢ−ＩＷ情報２２７は、周波数内で動作する上位基地局によって正常的に送信されるＭＩＢと区別されるべきである。従って、一般のＭＩＢ及び前記ＳＩＢ−ＩＷ情報２２７を区別する方案として、本発明は、ＣＲＣマスク（Ｃｙｃｌｉｃ  Ｒｅｄｕｎｄａｎｃｙ  Ｃｈｅｃｋ  ｍａｓｋ）を利用する方案を提案する。３ＧＰＰ  ＬＴＥ  Ｒｅｌｅａｓｅ８システムのようにＭＩＢが送信されるアンテナポート（ａｎｔｅｎｎａ  ｐｏｒｔ）を区別するためにＣＲＣマスクを利用することで、前記端末２３０が常にＭＩＢ復調のために可能な全ての組み合わせのＣＲＣマスク検査を行う場合、このような前記端末２３０のＭＩＢ復調過程を応用して従来のＭＩＢに使用されるＣＲＣマスクとは異なる別途のマスクを利用すると、前記端末２３０は復号された資源ブロックが一般のＭＩＢではない非同期方式のＳＩＢ−ＩＷ２２１を含むＭＩＢ、即ち、ＳＩＢ−ＩＷ情報２２７であることを認識することができる。下記＜表２＞及び＜表３＞は、非同期方式によるＳＩＢ−ＩＷのために割り当てられたＣＲＣマスクの例を示している。下記＜表２＞は、前記非同期方式によるＳＩＢ−ＩＷ２２１が利用可能なアンテナポートの種類が一つである場合のＣＲＣマスクパターンを示しており、下記＜表３＞は、非同期方式によるＳＩＢ−ＩＷ２２１が利用可能なアンテナポートの種類が２つである場合のＣＲＣマスクパターンである。
【００４３】
【表２】
2012523745.tif 000004
【００４４】
【表３】
2012523745.tif 000005
【００４５】
前記図２及び前記図３は、非同期方式で送信されるＳＩＢ−ＩＷの概略的な形態を示している。前記図２及び前記図３において、前記ＳＩＢ−ＩＷは同期信号及びＳＩＢ−ＩＷ情報で分けられ、前記ＳＩＢ−ＩＷ情報は、時間軸で前記同期信号の直ぐ後に繋がる。しかし、本発明の他の実施例によって、前記ＳＩＢ−ＩＷ情報及び前記同期信号は時間軸で連続しなくてもよい。例えば、前記ＳＩＢ−ＩＷ情報が前記同期信号から予め約束された個数のサブフレーム又は予め約束された個数のシンボルが経過した後送信されてもよい。
【００４６】
図４及び図５は、一つのアンテナポート及び二つのアンテナポートを使用する非同期方式のＳＩＢ−ＩＷの物理階層構造を示している。この際、前記図４及び前記図５のように前記ＳＩＢ−ＩＷを送信するために必要な媒介変数の例を挙げると、下記＜表４＞のようである。
【００４７】
【表４】
2012523745.tif 000006
【００４８】
前記図４において、前記ＮＩＤｃｅｌｌは下位基地局のＰＣＩ（Ｐｈｙｓｉｃａｌ  Ｌａｙｅｒ  Ｃｅｌｌ  Ｉｄｅｎｔｉｆｉｅｒ）、前記ｎｓはＳＩＢ−ＩＷが送信されるラジオフレーム内のスロット番号、前記ＮＣＰは一般ＣＰである場合「１」、拡張ＣＰである場合「０」に設定される変数、前記Ｉは一つのスロットに含まれるＯＦＤＭシンボルの個数を意味する。
【００４９】
非同期方式によって前記ＳＩＢ−ＩＷを送信する場合、前記下位基地局は前記ＳＩＢ−ＩＷを復号できるように参照信号を送信しなければならない。従って、前記図４に示したように、本発明の実施例による下位基地局は、非同期方式によって送信される前記ＳＩＢ−ＩＷの参照信号を前記上位基地局が使用するＭＩＢのセル特定参照信号パターン（ｃｅｌｌ−ｓｐｅｃｉｆｉｃ  ｒｅｆｅｒｅｎｃｅ  ｓｉｇｎａｌ  ｐａｔｔｅｒｎ）に従って送信する。但し、スクランブリングのためのＣｉｎｉｔは、前記ＳＩＢ−ＩＷを送信する前記下位基地局の媒介変数を参照して決定される。この際、具体的な参照信号の位置及び構成は、ＳＩＢ−ＩＷの送信のために使用されるアンテナポートの個数及びＣＰの種類によって異なる。
【００５０】
前記図４Ａは一般ＣＰを使用し、アンテナポートが一つである場合を示している。前記図４Ａを参照すると、ＳＩＢ−ＩＷ情報３０５の付近に送信される参照信号は、前記ＳＩＢ−ＩＷ情報３０５が送信されるシンボル区間以降にも存在する。従って、一般ＣＰを使用してＳＩＢ−ＩＷを送信する場合、端末が非同期方式ＳＩＢ−ＩＷを復号する際、充分なチャンネル推定性能を有するようにするため、前記ＳＩＢ−ＩＷ情報３０５を送信する４−シンボル区間以外に参照信号のみを送信するための２−シンボル区間が追加的に使用される。
【００５１】
前記図４Ｂは拡張ＣＰを使用し、アンテナポートが一つである場合を示している。前記図４Ｂを参照すると、全ての参照信号は、前記ＳＩＢ−ＩＷ情報３０５が送信されるシンボル区間以内に存在する。従って、拡張ＣＰを使用してＳＩＢ−ＩＷを送信する場合、前記ＳＩＢ−ＩＷのための同期信号３０１，３０３の送信の後、ＳＩＢ−ＩＷ情報３０５を送信する４−シンボル区間のみで前記ＳＩＢ−ＩＷの送信が完了される。
【００５２】
前記図５Ａは一般ＣＰを使用し、アンテナポートが２つである場合を示している。この場合、前記図４Ａと比べると、ＳＩＢ−ＩＷの物理階層構造は同じ構造の同期信号３０１，３０３及びＳＩＢ−ＩＷ情報３０５を含むが、２倍個数の参照信号を含む。この際、前記参照信号は、一定の規則に応じて２つのアンテナに分けられて送信される。
【００５３】
前記図５Ｂは拡張ＣＰを使用し、アンテナポートが２つである場合を示している。この場合、前記図４Ｂと比べると、ＳＩＢ−ＩＷの物理階層構造は同じ構造の同期信号３０１，３０３及びＳＩＢ−ＩＷ情報３０５を含むが、２倍の数の参照信号を含む。この際、前記参照信号は、一定の規則に応じて２つのアンテナに分けられて送信される。
【００５４】
一般的に、端末が上位基地局から他の上位基地局にハンドオーバを目的に隣のセルを探索する場合、受信された同期信号の大きさが一定の基準値を超過すると、前記端末は該当上位基地局の参照信号の受信強度を利用してハンドオーバの可否を判断する。しかし、下位基地局へのハンドオーバの場合、上述したハンドオーバの手順が適用されることができない。なぜならば、上位基地局はＳＩＢの受信がなくても同期信号及び参照信号のみで識別されるが、前記下位基地局は同期信号のみで接続可能なノードであるのか否かが識別されない。更に、上位基地局及び下位基地局の同期信号に使用されるプリアンブルシーケンス（ｐｒｅａｍｂｌｅ  ｓｅｑｕｅｎｃｅ）が区分されていない場合、端末はハンドオーバのターゲットノードが上位基地局であるのか、又は下位基地局であるのかを判断することができない。従って、本発明の実施例によるシステムは、前記上位基地局のためのプリアンブルシーケンス及び前記下位基地局のためのプリアンブルシーケンスを区分して適用する。
【００５５】
これによって、検出された同期信号が下位基地局のためのプリアンブルシーケンスである場合、端末は該当ノードが下位基地局であることを認知し、前記下位基地局に接続可能可否及び前記下位基地局の識別情報を知るため、ＳＩＢの受信を試みる。前記端末は前記下位基地局のＳＩＢを確認した後、前記下位基地局への接続可能可否及びハンドオーバの実行可否を判断する。即ち、前記端末は前記下位基地局へのハンドオーバの可能可否を判断するため、同期信号、ＭＩＢ及びＳＩＢのうち少なくとも一つを含むサブフレームのみを受信する。従って、前記下位基地局がデータを含むサブフレームを送信するのか否かは、前記下位基地局への接続が可能可否及びハンドオーバの可能可否を判断する端末の動作にいかなる影響を及ばない。即ち、前記下位基地局は、自らの動作周波数帯域で通信を行うと共に、マクロ基地局の動作周波数帯域を介して前記同期信号、前記ＭＩＢ及びＳＩＢのうち少なくとも一つを含むサブフレームのみを周期的に送信することで、前記端末が前記下位基地局を前記マクロ基地局の動作周波数帯域で動作することとして認識するようにすることができる。
【００５６】
この際、前記ＳＩＢは前記ＳＩＢ−ＩＷと類似して前記下位基地局への接続のための情報、前記ＳＩＢの送信スケジューリングを示す情報及び接続可能可否を判断するための情報を含む。例えば、前記ＳＩＢは、前記下位基地局がＣＳＧモードである場合転送すべき「ＣＳＧ  Ｉｄｅｎｔｉｔｙ」以外にも前記下位基地局の動作周波数情報である「ｄｌ−ｃａｒｒｉｅｒ  ＦｒｅｑＩｎｆｏ」及びＳＩＢを含むサブフレームの送信スケジューリング情報である「ＳＩＢ−ＩＷ＿ｔｒａｎｓｍｉｓｓｉｏｎ＿ｓｕｂｆｒａｍｅ＿ｓｅｔ＿ｃｏｎｆ」を追加に含んでもよい。ここで、前記「ＳＩＢ−ＩＷ＿ｔｒａｎｓｍｉｓｓｉｏｎ＿ｓｕｂｆｒａｍｅ＿ｓｅｔ＿ｃｏｎｆ」は、予め定義された多数の転送タイプのうち一つを示すインデックスの形態で構成されてもよい。即ち、前記ＳＩＢは、前記上位基地局によって送信されるＳＩＢと相異なる情報構成を有するものであり、一般的なＳＩＢではないＳＩＢ−ＩＷと類似した修正されたＳＩＢである。
【００５７】
図６は、本発明の実施例による広帯域無線通信システムにおいて、非同期方式によるＳＩＢ−ＩＷ転送用サブフレームセットの送信を概略的に示している。
【００５８】
前記図６を参照すると、下位基地局は自らの動作周波数で通信を行うと共に、上位基地局の動作周波数で毎フレームの３番目のサブフレーム区間を介して同期信号及びＭＩＢを含むサブフレーム４２１を送信し、毎フレームの８番目のサブフレーム区間を介して前記同期信号、前記ＳＩＢを含むサブフレーム４２３及び前記同期信号を含むサブフレーム４２５を交替に送信する。ここで、本発明は、前記周波数ｆ１で前記下位基地局によって送信されるサブフレームを「ＳＩＢ−ＩＷ転送用サブフレームセット」と称する。この際、前記ＳＩＢ−ＩＷ転送用サブフレームセットの物理階層構造は、前記下位基地局の信号転送に対する物理階層構造の規格と同じであってもよい。
【００５９】
これによって、端末は前記下位基地局から受信される前記同期信号及び前記ＭＩＢを順次に検出した後、前記ＳＩＢ−ＩＷを受信する。この際、前記端末が前記同期信号及び前記ＭＩＢの検出に成功するまで、前記端末は前記同期信号及び前記ＭＩＢが下位基地局によって送信されたのか否かを判断することができない。また、前記端末が前記同期信号は検出したがＭＩＢは検出できなかった場合、前記端末は前記同期信号を構成するプリアンブルシーケンスに対する優先順位を高く設定することで、該当下位基地局のＳＩＢ−ＩＷ転送用サブフレームセットの獲得を再び試みる。
【００６０】
前記ＳＩＢ−ＩＷ転送用サブフレームセットを送信する間、前記下位基地局は自らの動作周波数で通信を一時的に中断する。この際、動作周波数の変更動作のための所要時間の長さによって、一つのサブフレーム区間の間通信が中断されるか、二つ以上のサブフレーム区間の間通信が中断される。例えば、前記上位基地局の動作周波数及び前記下位基地局の動作周波数が互いに異なるＦＡ（ｆｒｅｑｕｅｎｃｙ  Ａｌｌｏｃａｔｉｏｎ）に含まれると、同じＦＡに含まれた場合に比べ相対的に動作周波数変更のための所要時間が長くなる可能性があり、この場合、二つ以上のサブフレーム区間の間通信が中断される可能性がある。但し、前記下位基地局に具備された転送手段が２つの動作周波数帯域で同時に信号を送受信し得る能力を有している場合、前記ＳＩＢ−ＩＷ転送用サブフレームセットを送信するために自らの動作周波数で通信を中断することが強制されることはない。
【００６１】
本発明は前記図６を参照し、ＳＩＢを利用して下位基地局への接続のための情報を提供する実施例を説明した。しかし、前記図６に示したＳＩＢ−ＩＷ転送用サブフレームセットにＳＩＢ−ＩＷ又はＳＩＢｘを含ませることで、前記ＳＩＢではない前記ＳＩＢ−ＩＷ又は前記ＳＩＢｘを介して前記下位基地局への接続のための情報を提供する方案も実施することができる。言い換えると、本発明によるシステムにおいて、インバウンドモビリティをサポートするために、以下のような３つの方案が適用されてもよい。
【００６２】
一、前記ＳＩＢｘ又は前記ＳＩＢ−ＩＷを使用することなく、前記ＳＩＢを介して前記下位基地局への接続のための情報を提供する方案、
二、前記ＳＩＢを介して前記ＳＩＢｘ又は前記ＳＩＢ−ＩＷのスケジューリング情報を提供することで、前記ＳＩＢｘ又は前記ＳＩＢ−ＩＷの容易な受信を図る方案、
三、前記ＳＩＢｘ又は前記ＳＩＢ−ＩＷのみを利用する方案、
のうち一つが適用されてもよい。
【００６３】
図７は、本発明の実施例による広帯域無線通信システムにおいて、非同期方式によるＳＩＢ−ＩＷ転送用サブフレームセットの送信を概略的に示している。前記図７は、ＳＩＢ−ＩＷ転送用サブフレームセットにＳＩＢ−ＩＷが含まれる場合の実施例を示している。
【００６４】
前記図７を参照すると、下位基地局は自らの動作周波数で通信を行うと共に、上位基地局の動作周波数で毎フレームの３番目のサブフレーム区間を介して同期信号及びＭＩＢを含むサブフレーム４３１を送信し、毎フレームの８番目のサブフレーム区間を介して前記同期信号及び前記ＳＩＢを含むサブフレーム４３３と前記同期信号及び前記ＳＩＢ−ＩＷを含むサブフレーム４３５を交替に送信する。追加的に、本発明の実施者の意図によって、上述した形態以外のサブフレームが前記ＳＩＢ−ＩＷ転送用サブフレームセットに含まれてもよい。例えば、前記同期信号、前記ＳＩＢ及び前記ＳＩＢ−ＩＷを含むサブフレーム、前記同期信号、前記ＭＩＢ及び前記ＳＩＢ−ＩＷを含むサブフレーム、及び前記ＳＩＢ−ＩＷを含むサブフレームが使用されてもよい。この際、前記ＳＩＢ−ＩＷ転送用サブフレームセットの物理階層構造は、前記下位基地局の信号転送に対する物理階層構造の規格と同じであってもよい。
【００６５】
ここで、前記ＳＩＢは前記ＳＩＢ−ＩＷのスケジューリング情報を含む。これによって、端末は前記下位基地局から受信される前記同期信号及び前記ＭＩＢを順次に検出した後、前記ＳＩＢをデコーディングし、前記ＳＩＢに含まれたＳＩＢ−ＩＷのスケジューリング情報を参考にして前記ＳＩＢ−ＩＷを受信する。この際、前記端末が前記同期信号及び前記ＭＩＢの検出に成功するまで、前記端末は前記同期信号及び前記ＭＩＢが前記下位基地局によって送信されたのか否かを判断することができない。また、前記端末が前記同期信号は検出したがＭＩＢは検出できなかった場合、前記端末は前記同期信号を構成するプリアンブルシーケンスに対する優先順位を高く設定することで、該当下位基地局のＳＩＢ−ＩＷ転送用サブフレームセットの獲得を再び試みる。
【００６６】
図８は、本発明の実施例による広帯域無線通信システムにおいて、非同期方式によるＳＩＢ−ＩＷ転送用サブフレームセットの送信を概略的に示している。前記図８は、ＳＩＢ−ＩＷ転送用サブフレームセットにＳＩＢｘが含まれる場合の実施例を示している。
【００６７】
前記図８を参照すると、下位基地局は自らの動作周波数ｆ２で通信を行うと共に、前記上位基地局の動作周波数ｆ１で毎フレームの３番目のサブフレーム区間を介して同期信号、ＭＩＢ及びＳＩＢｘを含むサブフレーム４４１を送信し、毎フレームの８番目のサブフレーム区間を介して前記同期信号及び前記ＳＩＢを含むサブフレーム４４３を送信する。但し、前記下位基地局が周波数内シナリオに応じて動作する場合、前記下位基地局は前記６番目のサブフレーム区間を介して２フレーム当たり１回ずつＳＩＢを送信することができる。又は、周波数間シナリオに応じるとしても、必要に応じて、前記下位基地局は前記６番目のサブフレーム区間を介して２フレーム当たり１回ずつＳＩＢを送信してもよい。追加的に、本発明の実施者の意図によって、上述した形態以外のサブフレームが前記ＳＩＢ−ＩＷ転送用サブフレームセットに含まれてもよい。例えば、前記同期信号及び前記ＭＩＢを含むサブフレーム、前記同期信号を含むサブフレーム、前記ＳＩＢｘを含むサブフレームが使用されてもよい。この際、前記ＳＩＢ−ＩＷ転送用サブフレームセットの物理階層構造は、前記下位基地局の信号転送に対する物理階層構造の規格と同じであってもよい。
【００６８】
これによって、端末は前記下位基地局から受信される前記同期信号及び前記ＭＩＢを順次に検出した後、前記ＳＩＢｘを受信する。この際、前記端末が前記同期信号及び前記ＭＩＢの検出に成功するまで、前記端末は前記同期信号及び前記ＭＩＢが下位基地局によって送信されたのか否かを判断することができない。また、前記端末が前記同期信号は検出したがＭＩＢは検出できなかった場合、前記端末は前記同期信号を構成するプリアンブルシーケンスに対する優先順位を高く設定することで、該当下位基地局のＳＩＢ−ＩＷ転送用サブフレームセットの獲得を再び試みる。
【００６９】
以下、本発明は、上述したようにＳＩＢ−ＩＷを送受信するための上位基地局、下位基地局及び端末の動作及び構成を、図面を参考にして詳細に説明する。
【００７０】
以下の説明において、本発明の第１実施例は干渉調整を伴う非同期式ＳＩＢ−ＩＷ送信を、第２実施例は干渉調整のない非同期式ＳＩＢ−ＩＷ送信を、第３実施例はＳＩＢを利用した非同期式ＳＩＢ−ＩＷ転送用サブフレームセット送信を、第４実施例はＳＩＢ及びＳＩＢ−ＩＷを利用した非同期式ＳＩＢ−ＩＷ転送用サブフレームセット送信を、第５実施例はＳＩＢｘを利用した非同期式ＳＩＢ−ＩＷ転送用サブフレームセット送信を意味する。
【００７１】
以下の説明において、「ＳＩＢ−ＩＷ情報信号」は物理階層のＳＩＢ−ＩＷでＳＩＢ−ＩＷ情報を示す信号を、「ＳＩＢ−ＩＷ信号」は前記ＳＩＢ−ＩＷ情報信号をはじめとする前記ＳＩＢ−ＩＷ検出のための同期信号、参照信号などを含むＳＩＢ−ＩＷを伝達するための信号の集合を、「ＳＩＢ−ＩＷ区間」はＳＩＢ−ＩＷの送信のために割り当てられる時間及び周波数資源区間を、「ＳＩＢ−ＩＷ設定情報」はＳＩＢ−ＩＷの送信に対するスケジューリング情報を意味する。
【００７２】
図９は、本発明の第１実施例による広帯域無線通信システムにおいて、上位基地局の動作の手順を示している。前記図９は図３のように、ＳＩＢ−ＩＷが非同期方式で送信されるための前記上位基地局の動作の手順を示している。
【００７３】
前記図９を参照すると、前記上位基地局はステップ５０１で、現在のフレームが前記ＳＩＢ−ＩＷが送信されるフレームであるのかを確認する。この際、一つ又は２つ以上の下位基地局によって、一つ又は２つ以上のＳＩＢ−ＩＷが送信されてもよい。即ち、前記上位基地局は、与えられたＳＩＢ−ＩＷ設定情報に応じて決定されたＳＩＢ−ＩＷ送信スケジュールを確認し、現在のフレームが前記ＳＩＢ−ＩＷが送信されるフレームであるのか判断する。
【００７４】
もし、前記ＳＩＢ−ＩＷが送信されるフレームでなければ、前記上位基地局はステップ５０３に進行し、ＳＩＢ−ＩＷ区間を含まないフレームを構成する。詳細に説明すると、前記上位基地局は多数のサブフレームを含むが、毎サブフレームの前端に制御チャンネルを含み、一部のサブフレームに同期信号及びＭＩＢを含むフレームを構成するなどの一般的な基地局としての動作を行う。
【００７５】
一方、前記ＳＩＢ−ＩＷが送信されるフレームであれば、前記上位基地局はステップ５０５に進行し、フレーム内で前記ＳＩＢ−ＩＷ区間を予約する。前記ＳＩＢ−ＩＷ区間の間、前記上位基地局はデータ信号を送信せず、参照信号のみを送信する。この際、前記ＳＩＢ−ＩＷ区間の位置は前記ＳＩＢ−ＩＷ設定情報によって確認されるか、前記上位基地局の判断によって決定されるか、又は、上位網（ｎｅｔｗｏｒｋ）要素によって決定される。
【００７６】
次に、前記上位基地局はステップ５０７に進行し、前記ＳＩＢ−ＩＷ区間を含むフレームを構成する。即ち、前記上位基地局は多数のサブフレームを含むが、毎サブフレームの前端に制御チャンネルを含み、一部のサブフレームに同期信号及びＭＩＢを含み、特に、前記ＳＩＢ−ＩＷ区間を含むフレームを構成する。
【００７７】
次に、前記上位基地局はステップ５０９に進行し、前記ステップ５０３又は前記ステップ５０７で構成されたフレームを送信する。即ち、前記上位基地局は、構成されたフレームによってダウンリンク信号を生成し、前記ダウンリンク信号をセル内の端末に送信する。
【００７８】
図１０は、本発明の第１実施例による広帯域無線通信システムにおいて、下位基地局の動作の手順を示している。前記図１０は前記図３のように、ＳＩＢ−ＩＷが非同期方式で送信されるための前記下位基地局の動作の手順を示している。
【００７９】
前記図１０を参照すると、前記下位基地局はステップ６０１でＳＩＢ−ＩＷ設定情報を獲得する。ここで、前記ＳＩＢ−ＩＷ設定情報は、上位基地局のＳＩＢを介して受信されるか、バックホール網を介して獲得される。また、前記下位基地局は、前記上位基地局の動作周波数帯域を確認する。この際、前記下位基地局は無線チャンネルを検索することで前記上位基地局の動作周波数帯域を確認するか、又は、バックホール網を介して前記上位基地局の動作周波数情報を獲得する。
【００８０】
次に、前記下位基地局はステップ６０３に進行し、現在のフレームが前記ＳＩＢ−ＩＷ送信するフレームであるのかを確認する。即ち、前記下位基地局は、前記ステップ６０１で獲得されたＳＩＢ−ＩＷ設定情報に含まれたＳＩＢ−ＩＷ送信スケジュールを確認し、現在のフレームが前記ＳＩＢ−ＩＷが送信されるフレームであるのか判断する。
【００８１】
もし、前記ＳＩＢ−ＩＷを送信するフレームでなければ、前記下位基地局はステップ６０５に進行し、前記ＳＩＢ−ＩＷを含まないフレームを構成する。例えば、前記下位基地局が前記上位基地局と同じ構造のフレームを使用する場合、前記下位基地局は多数のサブフレームを含むが、毎サブフレームの前端に制御チャンネルを含み、一部のサブフレームに同期信号及びＭＩＢを含むフレームを構成する。
【００８２】
前記ＳＩＢ−ＩＷを含まないフレームを構成した後、前記下位基地局はステップ６０７に進行し、前記下位基地局の動作周波数で前記フレームを送信する。即ち、前記下位基地局は、自らのセル内に位置する端末にダウンリンク信号を送信する。但し、前記下位基地局に接続された端末が存在しないか、又は、端末が接続されていても通信を行わない場合、前記ステップ６０５及び前記ステップ６０７は行われないか、参照信号を含んだ必需信号及びシステム情報のみを送信する。
【００８３】
前記ステップ６０３において、前記ＳＩＢ−ＩＷを送信するフレームであれば、前記下位基地局はステップ６０９に進行し、前記ＳＩＢ−ＩＷ区間を確認する。即ち、前記下位基地局は前記ＳＩＢ−ＩＷ送信スケジューリング情報に応じて、フレームのどの時間及び周波数資源を介して前記ＳＩＢ−ＩＷを送信するべきかを確認する。
【００８４】
前記ＳＩＢ−ＩＷ区間を確認した後、前記下位基地局はステップ６１１に進行し、同期信号を含む前記ＳＩＢ−ＩＷを生成する。即ち、前記下位基地局は前記下位基地局のシステム情報を含むメッセージを構成し、符号化及び変調を介して前記メッセージを複素シンボルに変換した後、スクランブルを行う。この際、前記下位基地局は前記ＳＩＢ−ＩＷのために予め定義されたチャンネルコーディング方式、変調方式、スクランブリングコードを適用する。そして、前記下位基地局は、前記ＳＩＢ−ＩＷのための同期信号を生成する。即ち、前記ＳＩＢ−ＩＷは同期信号及びＳＩＢ−ＩＷ情報を含む。この際、前記下位基地局の同期信号が前記ＳＩＢ−ＩＷのための同期信号として使用されてもよい。この場合、前記ＳＩＢ−ＩＷ情報はＭＩＢの構造を有する。従って、前記ＳＩＢ−ＩＷ情報としてのＭＩＢが前記ＳＩＢ−ＩＷのためのものであることを示すため、前記下位基地局は前記ＳＩＢ−ＩＷとしてのＭＩＢに前記ＳＩＢ−ＩＷを示すＣＲＣマスクを適用する。この際、前記ＣＲＣマスクは、前記ＳＩＢ−ＩＷを送信するために使用されるアンテナポートの個数によって異なり得る。例えば、アンテナポートが一つである場合、前記ＳＩＢ−ＩＷを示すＣＲＣマスクは、［１，０，１，０，１，０，１，０，１，０，１，０，１，０，１，０］であってもよく、アンテナポートが２つである場合、前記ＳＩＢ−ＩＷを示すＣＲＣマスクは、［１，１，１，１，０，０，０，０，１，１，１，１，０，０，０，０］及び［０，０，０，０，１，１，１，１，０，０，０，０，１，１，１，１］であってもよい。前記ＣＲＣマスクは、アンテナポートを区分し得る多様な数列の形態で変形されてもよい。
【００８５】
次に、前記下位基地局はステップ６１３に進行し、前記ＳＩＢ−ＩＷを含むフレームを構成する。例えば、前記下位基地局が前記上位基地局と同じ構造のフレームを使用する場合、前記下位基地局は多数のサブフレームを含むが、毎サブフレームの前端に制御チャンネルを含み、一部のサブフレームに同期信号及びＭＩＢを含み、特に、データチャンネルに前記ＳＩＢ−ＩＷを含むフレームを構成する。ここで、前記制御チャンネルは、ＰＤＣＣＨと称されてもよい。この際、前記ＳＩＢ−ＩＷは非同期方式で送信されるため、前記下位基地局は前記上位基地局の参照信号を考慮せず、前記ＳＩＢ−ＩＷ信号をマッピングする。また、前記下位基地局は参照信号と共に前記ＳＩＢ−ＩＷを含むフレームにマッピングする。
【００８６】
具体的に説明すると、アンテナポートが一つで、一般ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目の次のシンボル内の一部トーンに一定間隔で前記参照信号をマッピングする。例えば、前記下位基地局は、前記１番目のシンボルの周波数軸から６ｎ番目のトーン及び前記４番目のシンボルの次のシンボルの周波数軸から６ｎ−３番目のトーンに前記参照信号をマッピングする。ここで、前記ｎは正の整数である。
【００８７】
アンテナポートが一つで、拡張ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部トーンに一定間隔で前記参照信号をマッピングする。例えば、前記下位基地局は、前記１番目のシンボルの周波数軸から６ｎ番目のトーン及び前記４番目のシンボルの周波数軸から６ｎ−３番目のトーンに前記参照信号をマッピングする。ここで、前記ｎは正の整数である。
【００８８】
アンテナポートが２つで、一般ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボルの次のシンボル内の一部トーンに一定間隔で各アンテナの参照信号をマッピングする。例えば、前記下位基地局は、前記１番目のシンボルの周波数軸から６ｎ番目のトーン及び前記４番目のシンボルの次のシンボルの周波数軸から６ｎ−３番目のトーンに前記第１アンテナの参照信号をマッピングし、前記１番目のシンボルの周波数軸から６ｎ−３番目のトーン及び前記４番目シンボルの次のシンボルの周波数軸から６ｎ番目のトーンに第２アンテナの参照信号をマッピングする。ここで、前記ｎは正の整数である。
【００８９】
アンテナポートが２つで、拡張ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部トーンに一定間隔で各アンテナの参照信号をマッピングする。例えば、前記下位基地局は、前記１番目のシンボルの周波数軸から６ｎ番目のトーン及び前記４番目のシンボルの周波数軸から６ｎ−３番目のトーンに前記第１アンテナの参照信号をマッピングし、前記１番目のシンボルの周波数軸から６ｎ−３番目のトーン及び前記４番目シンボルの周波数軸から６ｎ番目のトーンに第２アンテナの参照信号をマッピングする。ここで、ｎは正の整数である。
【００９０】
但し、本発明の他の実施例によって、前記下位基地局は前記同期信号及び前記ＳＩＢ−ＩＷ情報信号を、予め約束された個数のサブフレーム又は予め約束された個数のシンボルの間隔を置いてマッピングしてもよい。
【００９１】
前記ＳＩＢ−ＩＷを含むフレームを構成した後、前記下位基地局はステップ６１５に進行し、前記ＳＩＢ−ＩＷの送信時点が到来したのかを確認する。即ち、前記下位基地局は前記フレームの送信が始まると共に、持続的に前記ＳＩＢ−ＩＷ区間が始まるのかを確認する。
【００９２】
もし、前記ＳＩＢ−ＩＷの送信時点が到来していないと、前記下位基地局はステップ６１７に進行し、前記下位基地局の動作周波数でフレームを送信する。即ち、前記下位基地局は、前記下位基地局に接続された端末にダウンリンク信号を送信する。但し、前記下位基地局に接続された端末が存在しないか、又は、端末が接続されていても通信を行わない場合、前記ステップ６１７は行われなくてもよい。
【００９３】
次に、前記下位基地局はステップ６１９に進行し、前記フレームの送信が完了されたのかを確認する。即ち、前記下位基地局はステップ６１３で構成されたフレームの送信が完了されたのかを確認する。前記フレームの送信が完了されたなら前記下位基地局は本手順を完了し、前記フレームの送信が完了されていないなら前記下位基地局は前記ステップ６１５に戻る。
【００９４】
前記ステップ６１５において、前記ＳＩＢ−ＩＷの送信時点が到来したなら、前記下位基地局はステップ６２１に進行し、前記上位基地局の動作周波数で前記ＳＩＢ−ＩＷを送信する。即ち、前記下位基地局は動作周波数を前記上位基地局の動作周波数に変更した後、ＩＦＦＴ演算及びＣＰ挿入を介して前記フレーム上にマッピングされた前記ＳＩＢ−ＩＷをＯＦＤＭＡシンボルに変換し、ＦＲ帯域信号のアップコンバートした後、アンテナを介して送信する。この際、前記下位基地局は前記上位基地局とシンボル同期を一致させた後、前記ＳＩＢ−ＩＷを送信する。
【００９５】
図１１は、本発明の第１実施例による広帯域無線通信システムにおいて、端末の動作の手順を示している。前記図１１は前記図３のように、ＳＩＢ−ＩＷが非同期方式で送信される場合、前記ＳＩＢ−ＩＷを受信するための前記端末の動作の手順を示している。
【００９６】
前記図１１を参照すると、前記端末はステップ７０１でＳＩＢ−ＩＷ設定情報を獲得する。ここで、前記ＳＩＢ−ＩＷ設定情報は、上位基地局から又は上位網要素から受信される。例えば、前記ＳＩＢ−ＩＷ設定情報は、上位基地局のＭＩＢを含むブロードキャスティングメッセージを介して受信される。
【００９７】
次に、前記端末はステップ７０３に進行し、現在のフレームが前記ＳＩＢ−ＩＷ送信されるフレームであるのかを確認する。この際、一つ又は２つ以上の下位基地局によって一つ又は２つ以上のＳＩＢ−ＩＷが送信されてもよい。即ち、前記端末は、前記ステップ７０１で獲得されたＳＩＢ−ＩＷ設定情報に含まれたＳＩＢ−ＩＷ送信スケジュールを確認し、現在のフレームが前記ＳＩＢ−ＩＷが送信されるフレームであるのか判断する。
【００９８】
もし、前記ＳＩＢ−ＩＷが送信されるフレームではない場合、前記端末はステップ７０５に進行して上位基地局と通信を行う。言い換えると、前記端末は下位基地局のＳＩＢ−ＩＷに対する受信を試みず、前記上位基地局と通信を行う。即ち、前記端末は毎サブフレームで制御チャンネルを介して割り当てられた資源があるのか否かを確認し、割り当てられた資源を介してダウンリンク信号を受信する。
【００９９】
一方、前記ＳＩＢ−ＩＷが送信されるフレームであれば、前記端末はステップ７０７に進行し、前記ＳＩＢ−ＩＷの送信時点が到来したのかを確認する。即ち、前記端末は前記フレームの送信が始まると共に、持続的に前記ＳＩＢ−ＩＷ区間が始まるのかを確認する。ここで、前記ＳＩＢ−ＩＷ区間が始まる時点は、前記ＳＩＢ−ＩＷ設定情報を介して確認される。
【０１００】
もし、前記ＳＩＢ−ＩＷの送信時点が到来していなければ、前記端末はステップ７０９に進行して上位基地局と通信を行う。即ち、前記端末は毎サブフレームで制御チャンネルを介して割り当てられた資源があるのか否かを確認し、割り当てられた資源を介してダウンリンク信号を受信する。そして、前記端末は、前記ステップ７０７に戻る。
【０１０１】
一方、前記ＳＩＢ−ＩＷ区間が到来すると、記端末はステップ７１１に進行し、セル検索手順を介してサービング上位基地局以外の他の基地局の同期信号の検出を試みる。ここで、前記セル検索手順は前記端末の動作のうち持続的に行われるバックグラウンド動作であり、隣接上位基地局の同期信号を検出するためのものある。従って、前記セル検索手順は本手順の進行とは関係なく持続的に行われるものであり、前記ステップ７１１は本手順でこれを活用していることを強調するためのものである。従って、前記ＳＩＢ−ＩＷのための同期信号が前記同期信号と同じ構造を有する場合、前記端末は前記セル検索手順を介して前記ＳＩＢ−ＩＷのための同期信号を検出してもよい。
【０１０２】
次に、前記端末はステップ７１３に進行し、前記ＳＩＢ−ＩＷ区間内で前記同期信号が検出されるのかを確認する。もし、前記ＳＩＢ−ＩＷ区間内で同期信号が検出されなければ、前記端末は下位基地局に接続できないことを認識し、前記ステップ７０９に進行する。
【０１０３】
一方、前記ＳＩＢ−ＩＷ区間内で前記同期信号が検出されると、前記端末はステップ７１５に進行し、前記同期信号に続くＭＩＢの受信を試みる。言い換えると、前記端末は、前記同期信号に続くＭＩＢを介して受信される信号の復調及び復号を試みる。詳細に説明すると、前記端末は、前記同期信号に続くシンボル内のトーンのうち参照信号のためのトーンを介して受信された信号を利用してチャンネルを推定し、推定されたチャンネルを利用してデータトーンを介して受信された信号に対する復調及び復号を試みる。
【０１０４】
前記ＭＩＢに対する受信を試みた後、前記端末はステップ７１７に進行し、前記ＭＩＢがＳＩＢ−ＩＷとしてのＭＩＢであるのかを確認する。この際、前記ＭＩＢが前記ＳＩＢ−ＩＷであるか否かはＣＲＣマスクを介して判断される。従って、前記端末は前記ＳＩＢ−ＩＷを示すＣＲＣマスクを利用して前記ＭＩＢを介して受信された信号から復元されたビット列に対してＣＲＣ検証を行った後、前記ＣＲＣ検証の成功可否に応じて前記ＳＩＢ−ＩＷの受信可否を判断する。例えば、下位基地局のアンテナポートが一つである場合、前記ＳＩＢ−ＩＷを示すＣＲＣマスクは、［１，０，１，０，１，０，１，０，１，０，１，０，１，０，１，０］であってもよく、下位基地局のアンテナポートが２つである場合、前記ＳＩＢ−ＩＷに対応される［１，１，１，１，０，０，０，０，１，１，１，１，０，０，０，０］及び［０，０，０，０，１，１，１，１，０，０，０，０，１，１，１，１］であってもよい。もし、前記ＭＩＢが前記ＳＩＢ−ＩＷとしてのＭＩＢでなければ、前記端末は前記ステップ７０９に進行する。
【０１０５】
一方、前記ＭＩＢが前記ＳＩＢ−ＩＷとしてのＭＩＢであれば、前記端末は前記下位基地局に接続が可能であることを認知し、ステップ７１９に進行して前記下位基地局へのハンドオーバの手順を行う。具体的に、前記端末は前記上位基地局に前記ＳＩＢ−ＩＷの受信が成功したことを知らせるメッセージ、例えば、測定報告メッセージを送信し、前記上位基地局からハンドオーバの受諾可否を知らせるメッセージ、例えば、ハンドオーバ命令メッセージを受信する。
【０１０６】
図１２は、本発明の第１実施例による広帯域無線通信システムにおいて、下位基地局の動作の手順を示している。前記図１２は前記図２のように、ＳＩＢ−ＩＷが非同期方式で送信されるための前記下位基地局の動作の手順を示している。
【０１０７】
前記図１２を参照すると、前記下位基地局はステップ８０１で上位基地局の動作周波数帯域を確認する。この際、前記下位基地局は無線チャンネルを検索することで前記上位基地局の動作周波数帯域を確認するか、又は、バックホール網を介して前記上位基地局の動作周波数情報を獲得する。
【０１０８】
次に、前記下位基地局はステップ８０３に進行し、現在のフレームが前記ＳＩＢ−ＩＷ送信するフレームであるのかを確認する。この際、前記ＳＩＢ−ＩＷの送信可否は前記下位基地局によって決定され、周期的に送信される。ここで、前記ＳＩＢ−ＩＷ設定情報は、上位基地局のＳＩＢを含むブロードキャスティングメッセージを介して受信されるか、バックホール網を介して獲得される。
【０１０９】
もし、前記ＳＩＢ−ＩＷを送信するフレームでなければ、前記下位基地局はステップ８０５に進行し、前記ＳＩＢ−ＩＷを含まないフレームを構成する。例えば、前記下位基地局が前記上位基地局と同じ構造のフレームを使用する場合、前記下位基地局は多数のサブフレームを含むが、毎サブフレームの前端に制御チャンネルを含み、一部のサブフレームに同期信号及びＭＩＢを含むフレームを構成する。
【０１１０】
前記ＳＩＢ−ＩＷを含まないフレームを構成した後、前記下位基地局はステップ８０７に進行し、前記下位基地局の動作周波数で前記フレームを送信する。即ち、前記下位基地局は、自らのセル内に位置する端末にダウンリンク信号を送信する。但し、前記下位基地局に接続された端末が存在しないか、又は、端末が接続されていても通信を行わない場合、前記ステップ８０５及び前記ステップ８０７は行われない。
【０１１１】
前記ステップ８０３において、前記ＳＩＢ−ＩＷを送信するフレームであれば、前記下位基地局はステップ８０９に進行し、前記ＳＩＢ−ＩＷ区間を決定する。この際、前記ＳＩＢ−ＩＷを送信するフレームと同じく、前記下位基地局は前記ＳＩＢ−ＩＷ区間を自ら決定する。
【０１１２】
前記ＳＩＢ−ＩＷ区間を決定した後、前記下位基地局はステップ８１１に進行し、同期信号を含む前記ＳＩＢ−ＩＷを生成する。即ち、前記下位基地局は前記下位基地局のシステム情報を含むメッセージを構成し、符号化及び変調を介して前記メッセージを複素シンボルに変換した後、スクランブリングを行う。この際、前記下位基地局は前記ＳＩＢ−ＩＷのために予め定義されたチャンネルコーディング方式、変調方式、スクランブリングコードを適用する。そして、前記下位基地局は、前記ＳＩＢ−ＩＷのための同期信号を生成する。即ち、前記ＳＩＢ−ＩＷは同期信号及びＳＩＢ−ＩＷ情報を含む。この際、前記下位基地局の同期信号が前記ＳＩＢ−ＩＷのための同期信号として使用されてもよい。この場合、前記ＳＩＢ−ＩＷ情報はＭＩＢの構造を有する。従って、前記ＳＩＢ−ＩＷ情報としてのＭＩＢが前記ＳＩＢ−ＩＷのためのものであることを示すため、前記下位基地局は前記ＳＩＢ−ＩＷとしてのＭＩＢに前記ＳＩＢ−ＩＷを示すＣＲＣマスクを適用する。この際、前記ＣＲＣマスクは、前記ＳＩＢ−ＩＷを送信するために使用されるアンテナポートの個数によって異なり得る。例えば、アンテナポートが一つである場合、前記ＳＩＢ−ＩＷを示すＣＲＣマスクは、［１，０，１，０，１，０，１，０，１，０，１，０，１，０，１，０］であってもよく、アンテナポートが２つである場合、前記ＳＩＢ−ＩＷを示すＣＲＣマスクは、［１，１，１，１，０，０，０，０，１，１，１，１，０，０，０，０］及び［０，０，０，０，１，１，１，１，０，０，０，０，１，１，１，１］であってもよい。
【０１１３】
次に、前記下位基地局はステップ８１３に進行し、前記ＳＩＢ−ＩＷを含むフレームを構成する。例えば、前記下位基地局が前記上位基地局と同じ構造のフレームを使用する場合、前記下位基地局は多数のサブフレームを含むが、毎サブフレームの前端に制御チャンネルを含み、一部のサブフレームに同期信号及びＭＩＢを含み、特に、データチャンネルに前記ＳＩＢ−ＩＷを含むフレームを構成する。この際、前記ＳＩＢ−ＩＷは非同期方式で送信されるため、前記下位基地局は前記上位基地局の参照信号を考慮せず、前記ＳＩＢ−ＩＷ信号をマッピングする。また、前記下位基地局は参照信号と共に、前記ＳＩＢ−ＩＷを含むフレームにマッピングする。
【０１１４】
具体的に説明すると、アンテナポートが一つで、一般ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目の次のシンボル内の一部トーンに一定間隔で前記参照信号をマッピングする。例えば、前記下位基地局は、前記１番目のシンボルの周波数軸から６ｎ番目のトーン及び前記４番目のシンボルの次のシンボルの周波数軸から６ｎ−３番目のトーンに前記参照信号をマッピングする。ここで、前記ｎは正の整数である。
【０１１５】
アンテナポートが一つで、拡張ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部トーンに一定間隔で前記参照信号をマッピングする。例えば、前記下位基地局は、前記１番目のシンボルの周波数軸から６ｎ番目のトーン及び前記４番目のシンボルの周波数軸から６ｎ−３番目のトーンに前記参照信号をマッピングする。ここで、前記ｎは正の整数である。
【０１１６】
アンテナポートが２つで、一般ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボルの次のシンボル内の一部トーンに一定間隔で各アンテナの参照信号をマッピングする。例えば、前記下位基地局は、前記１番目のシンボルの周波数軸から６ｎ番目のトーン及び前記４番目のシンボルの次のシンボルの周波数軸から６ｎ−３番目のトーンに前記第２アンテナの参照信号をマッピングし、前記１番目のシンボルの周波数軸から６ｎ−３番目のトーン及び前記４番目シンボルの次のシンボルの周波数の軸から６ｎ番目のトーンの第２アンテナの参照信号をマッピングする。ここで、前記ｎは正の整数である。
【０１１７】
アンテナポートが２つで、拡張ＣＰが適用される場合、前記下位基地局は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部トーンに一定間隔で各アンテナの参照信号をマッピングする。例えば、前記下位基地局は、前記１番目のシンボルの周波数軸から６ｎ番目のトーン及び前記４番目のシンボルの周波数軸から６ｎ−３番目のトーンに前記第１アンテナの参照信号をマッピングし、前記１番目のシンボルの周波数軸から６ｎ−３番目のトーン及び前記４番目シンボルの周波数軸から６ｎ番目のトーンの第１アンテナの参照信号をマッピングする。ここで、前記ｎは正の整数である。
【０１１８】
但し、本発明の他の実施例によって、前記下位基地局は前記同期信号及び前記ＳＩＢ−ＩＷ情報信号を、予め約束された個数のサブフレーム又は予め約束された個数のシンボルの間隔を置いてマッピングしてもよい。
【０１１９】
前記ＳＩＢ−ＩＷを含むフレームを構成した後、前記下位基地局はステップ８１５に進行し、前記ＳＩＢ−ＩＷの送信時点が到来したのか確認する。即ち、前記下位基地局は前記フレームの送信が始まると共に、持続的に前記ＳＩＢ−ＩＷ区間が始まるのかを確認する。
【０１２０】
もし、前記ＳＩＢ−ＩＷの送信時点が到来していないと、前記下位基地局はステップ８１７に進行し、前記下位基地局の動作周波数でフレームを送信する。即ち、前記下位基地局は、前記下位基地局に接続された端末にダウンリンク信号を送信する。但し、前記下位基地局に接続された端末が存在しないか、又は、端末が接続されていても通信を行わない場合、前記ステップ８１７は行われなくてもよい。
【０１２１】
次に、前記下位基地局はステップ８１９に進行し、前記フレームの送信が完了されたのか確認をする。即ち、前記下位基地局はステップ８１３で構成されたフレームの送信が完了されたのかを確認する。前記フレームの送信が完了されたなら、前記下位基地局は本手順を完了し、前記フレームの送信が完了されていないなら、前記下位基地局は前記ステップ８１５に戻る。
【０１２２】
前記ステップ８１５において、前記ＳＩＢ−ＩＷの送信時点が到来したなら前記下位基地局はステップ８２１に進行し、前記上位基地局の動作周波数で前記ＳＩＢ−ＩＷを送信する。即ち、前記下位基地局は動作周波数を前記上位基地局の動作周波数に変更した後、ＩＦＦＴ演算及びＣＰ挿入を介して前記フレーム上にマッピングされた前記ＳＩＢ−ＩＷをＯＦＤＭＡシンボルに変換し、ＲＦ帯域信号のアップコンバートした後、アンテナを介して送信する。この際、前記下位基地局は前記上位基地局とシンボル同期を一致させた後、前記ＳＩＢ−ＩＷを送信する。
【０１２３】
図１３は、本発明の第１実施例による広帯域無線通信システムにおいて、端末の動作の手順を示している。前記図１３は前記図２のように、ＳＩＢ−ＩＷが非同期方式で送信される場合、前記ＳＩＢ−ＩＷを受信するための前記端末の動作の手順を示している。
【０１２４】
前記図１３を参照すると、前記端末はステップ９０１で、セル検索手順を介してサービング上位基地局以外の他の基地局の同期信号の検出を試みる。ここで、前記セル検索手順は前記端末の動作のうち持続的に行われるバックグラウンド動作であり、隣接上位基地局の同期信号を検出するためのものある。従って、前記セル検索手順は本手順の進行とは関係なく持続的に行われるものであり、前記ステップ９０１は本手順でこれを活用していることを強調するためのものである。従って、前記ＳＩＢ−ＩＷのための同期信号が前記同期信号と同じ構造を有する場合、前記端末は前記セル検索手順を介して前記ＳＩＢ−ＩＷのための同期信号を検出することができる。
【０１２５】
次に、前記端末はステップ９０３に進行し、前記ＳＩＢ−ＩＷのための同期信号が検出されるのかを確認する。
【０１２６】
もし、前記ＳＩＢ−ＩＷ同期信号が検出されなければ、前記端末は隣接した下位基地局が存在しないと判断し、前記端末はステップ９０５に進行して上位基地局と通信を行う。即ち、前記端末は毎サブフレームで制御チャンネルを介して割り当てられた資源があるのか否かを確認し、割り当てられた資源を介してダウンリンク信号を受信する。そして、前記端末は前記ステップ９０３に戻る。
【０１２７】
一方、前記同期信号が検出されると、前記端末はステップ９０７に進行し、前記同期信号に続くＭＩＢの受信を試みる。言い換えると、前記端末は、前記同期信号に続くＭＩＢを介して受信される信号の復調及び復号を試みる。詳細に説明すると、前記端末は前記同期信号に続くシンボル内のトーンのうち参照信号のためのトーンを介して受信された信号を利用してチャンネルを推定し、推定されたチャンネルを利用してデータトーンを介して受信された信号に対する復調及び復号を試みる。
【０１２８】
前記ＭＩＢに対する受信を試みた後、前記端末はステップ９０９に進行し、前記ＭＩＢがＳＩＢ−ＩＷとしてのＭＩＢであるのかを確認する。この際、前記ＭＩＢが前記ＳＩＢ−ＩＷであるか否かはＣＲＣマスクを介して判断される。従って、前記端末は前記ＳＩＢ−ＩＷを示すＣＲＣマスクを利用して前記ＭＩＢを介して受信された信号から復元されたビット列に対してＣＲＣ検証を行った後、前記ＣＲＣ検証の成功可否に応じて前記ＳＩＢ−ＩＷの受信可否を判断する。例えば、下位基地局のアンテナポートが一つである場合、前記ＳＩＢ−ＩＷを示すＣＲＣマスクは、［１，０，１，０，１，０，１，０，１，０，１，０，１，０，１，０］であってもよく、下位基地局のアンテナポートが２つである場合、前記ＳＩＢ−ＩＷに対応する［１，１，１，１，０，０，０，０，１，１，１，１，０，０，０，０］及び［０，０，０，０，１，１，１，１，０，０，０，０，１，１，１，１］であってもよい。もし、前記ＭＩＢが前記ＳＩＢ−ＩＷとしてのＭＩＢでなければ、前記端末は前記ステップ９０５に進行する。
【０１２９】
一方、前記ＭＩＢが前記ＳＩＢ−ＩＷとしてのＭＩＢであれば、前記端末はステップ９１１に進行し、前記下位基地局へのハンドオーバの手順を行う。具体的に、前記端末は前記上位基地局に前記ＳＩＢ−ＩＷの受信が成功したことを知らせるメッセージ、例えば、測定報告メッセージを送信し、前記上位基地局からハンドオーバの受諾可否を知らせるメッセージ、例えば、ハンドオーバ命令メッセージを受信する。
【０１３０】
図１４は、本発明の第３実施例による広帯域無線通信システムにおいて、下位基地局の動作の手順を示している。前記図１４は前記図６のように、ＳＩＢ−ＩＷ転送用サブフレームセットが非同期方式で送信される場合、前記下位基地局の動作の手順を示している。
【０１３１】
前記図１４を参照すると、前記下位基地局はステップ１００１で上位基地局の動作周波数帯域を確認する。この際、前記下位基地局は無線チャンネルを検索することで前記上位基地局の動作周波数帯域を確認するか、又は、バックホール網を介して前記上位基地局の動作周波数情報を獲得する。
【０１３２】
次に、前記下位基地局はステップ１００３に進行してＳＩＢを生成する。即ち、前記下位基地局は前記下位基地局のシステム情報を含むメッセージを構成し、符号化及び変調を介して前記メッセージを複素シンボルに変換した後、スクランブルを行う。この際、前記下位基地局は前記ＳＩＢのために予め定義されたチャンネルコーディング方式、変調方式、スクランブリングコードを適用する。この際、前記ＳＩＢは、前記下位基地局の動作周波数情報、ＳＩＢ−ＩＷ転送用サブフレームセットの送信スケジューリング情報及び前記下位基地局への接続可能可否を判断するための情報を含む。前記ＳＩＢ−ＩＷ転送用サブフレームセットの送信スケジューリング情報は、予め定義された多数の転送タイプのうち一つを示すインデックスの形態で構成されてもよい。
【０１３３】
前記ＳＩＢを生成した後、前記下位基地局はステップ１００５に進行し、ＳＩＢ−ＩＷ転送用サブフレームセットを構成する。ここで、前記ＳＩＢ−ＩＷ転送用サブフレームセットは多数のサブフレームを含み、２種類以上のサブフレームを含む。例えば、前記同期信号及び前記ＭＩＢを含む第１タイプサブフレーム、前記同期信号を含む第２タイプサブフレーム、前記同期信号及び前記ＳＩＢを含む第３タイプサブフレームのうち少なくとも２種類以上のサブフレームが含まれる。ここで、前記ＳＩＢ−ＩＷ転送用サブフレームセットに含まれる前記同期信号は、前記下位基地局の動作周波数帯域を介して送信される同期信号と同じ物理階層構造を有し、前記ＳＩＢは前記下位基地局の動作周波数帯域を介して送信されるＳＩＢと同じ物理階層構造を有する。この際、前記ＳＩＢ−ＩＷ転送用サブフレームセットの周波数軸の大きさは、上位基地局のフレームの帯域幅より小さいか同じである。
【０１３４】
次に、前記下位基地局はステップ１００７に進行し、前記ＳＩＢ−ＩＷ転送用サブフレームセットを送信するサブフレーム区間が到来するのかを確認する。即ち、前記ＳＩＢ−ＩＷ転送用サブフレームセットはサブフレーム単位で送信され、各種類のサブフレームは決められた順番によって送信される。例えば、前記第１タイプサブフレーム、前記第２タイプサブフレーム、前記第３タイプサブフレームの順で前記ＳＩＢ−ＩＷ転送用サブフレームセットに含まれるサブフレームが送信される。ここで、前記ＳＩＢ−ＩＷ転送用サブフレームセットが送信されるサブフレーム区間は、前記下位基地局が前記下位基地局の動作周波数で同期信号を送信する区間を除いた残りの区間に位置する。
【０１３５】
もし、前記ＳＩＢ−ＩＷ転送用サブフレームセットを送信するサブフレーム区間が到来していなければ、前記下位基地局はステップ１００９に進行し、前記下位基地局の動作周波数で下位基地局に接続された端末と通信を行う。
【０１３６】
一方、前記ＳＩＢ−ＩＷ転送用サブフレームセットを送信するサブフレーム区間が到来したなら、前記下位基地局はステップ１０１１に進行し、前記下位基地局の動作周波数で前記ＳＩＢ−ＩＷ転送用サブフレームセットに含まれた一つのサブフレームを送信する。即ち、前記下位基地局は、前記上位基地局の動作周波数から前記第１タイプサブフレーム、前記第２タイプサブフレーム及び前記第３タイプサブフレームのうち決められた順番によって一つのサブフレームを送信する。この際、前記下位基地局は、前記下位基地局の動作周波数帯域から一つ又は多数のサブフレーム区間の間、通信を一時的に中断する。ここで、前記通信が中断される区間のサブフレームの個数は、動作周波数変更のための所要時間によって決定される。従って、前記下位基地局は、前記ＳＩＢ−ＩＷ転送用サブフレームセットを送信するために通信が中断される区間の間、自らの動作周波数大域で接続された端末へのデータ送信をスケジューリングしないか、又は、端末に空いているサブフレームであることを知らせる。但し、前記下位基地局が同時に多数の周波数帯域から信号を送信することができる場合、前記下位基地局の動作周波数での通信は中断されない。
【０１３７】
本発明の第４実施例及び第５実施例による下位基地局の動作は、前記図１４に示した第３実施例による動作と殆ど類似しているが、前記ステップ１００３及び前記ステップ１００５が異なっている。
【０１３８】
本発明の第４実施例による場合、前記ステップ１００３で前記下位基地局はＳＩＢ及びＳＩＢ−ＩＷを生成する。この際、前記ＳＩＢはＳＩＢ−ＩＷのスケジューリング情報を含み、前記ＳＩＢ−ＩＷは前記下位基地局への接続のための情報を含む。次に、前記ステップ１００５に進行し、前記下位基地局は同期信号及びＭＩＢを含む第１タイプサブフレーム、前記同期信号を含む第２タイプサブフレーム、前記同期信号、前記ＳＩＢ、前記ＳＩＢ−ＩＷを含む第３タイプサブフレーム、前記同期信号、前記ＳＩＢ及び前記ＳＩＢ−ＩＷを含む第４タイプサブフレーム、前記同期信号、前記ＭＩＢ及び前記ＳＩＢ−ＩＷを含む第５タイプサブフレーム、前記ＳＩＢ−ＩＷを含む第６タイプサブフレームのうち少なくとも２種類以上のサブフレームが含むＳＩＢ−ＩＷ転送用サブフレームセットを構成する。
【０１３９】
本発明の第５実施例による場合、前記ステップ１００３で前記下位基地局はＳＩＢｘを生成する。ここで、前記ＳＩＢｘは前記下位基地局への接続のための情報を含む。次に、前記ステップ１００５に進行し、前記下位基地局は同期信号及びＭＩＢを含む第１タイプサブフレーム、前記同期信号を含む第２タイプサブフレーム、前記同期信号、前記ＳＩＢｘを含む第３タイプサブフレーム、前記同期信号及び前記ＳＩＢを含む第４タイプサブフレーム、前記同期信号、前記ＭＩＢ及び前記ＳＩＢｘを含む第５タイプサブフレーム、及び前記ＳＩＢｘを含む第６タイプサブフレームのうち少なくとも２種類以上のサブフレームが含むＳＩＢ−ＩＷ転送用サブフレームセットを構成する。
【０１４０】
図１５は、本発明の第３実施例による広帯域無線通信システムにおいて、端末の動作の手順を示している。前記図１５は、ＳＩＢを含むＳＩＢ−ＩＷ転送用サブフレームセットが非同期方式で送信される場合、前記ＳＩＢ−ＩＷ転送用サブフレームセットを受信するための前記端末の動作の手順を示している。
【０１４１】
前記図１５を参照すると、前記端末はステップ１１０１で上位基地局との通信を行う途中、前記上位基地局の動作周波数帯域で下位基地局の同期信号の検出を試みる。前記ＳＩＢ−ＩＷのための同期信号の検出は周期的に試みられ、前記ＳＩＢ−ＩＷのために割り当てられたプリアンブルシーケンスを利用して行われる。
【０１４２】
次に、前記端末はステップ１１０３に進行し、前記下位基地局で前記同期信号が検出されるのかを確認する。言い換えると、前記端末は前記下位基地局のＳＩＢ−ＩＷ転送用サブフレームセットのために割り当てられたプリアンブルシーケンスのうち一つで構成された同期信号が検出されるのかを確認する。もし、前記ＳＩＢ−ＩＷのための同期信号が検出されないと、前記端末はステップ１１０５に進行して上位基地局との通信を続ける。
【０１４３】
一方、前記ＳＩＢ−ＩＷのための同期信号が検出されると、前記端末はステップ１０７に進行し、検出された同期信号の受信強度が臨界値以上であるのかを確認する。即ち、前記端末は、前記検出された同期信号を送信した下位基地局とのチャンネル状態が通信を行えるほど良好であるのか判断する。もし、前記検出された同期信号の受信強度が臨界値より小さいと、前記端末はステップ１１０５に進行して上位基地局との通信を続ける。
【０１４４】
一方、前記検出された同期信号の受信強度が臨界値以上であれば、前記端末はステップ１１０９に進行し、前記同期信号を送信した下位基地局のＭＩＢのデコーディングを試みる。即ち、前記端末は前記同期信号を利用して前記下位基地局との同期を獲得し、前記同期信号に続いて送信される前記ＭＩＢのデコーディングを試みる。この際、前記同期信号、即ち、同期信号及び前記ＭＩＢは同じサブフレームを介して受信されることができるため、前記同期信号を検出したサブフレームのＭＩＢのデコーディングを試みるか、又は、前記同期信号を検出したサブフレームからＭＩＢ送信周期を考慮し、一定時間が経過した後受信されるＭＩＢのデコーディングを試みる。
【０１４５】
次に、前記端末はステップ１１１１に進行し、前記ＭＩＢのデコーディングが成功されたのかを確認する。例えば、前記端末はＣＲＣ検証の結果エラーが発生せず、前記ＭＩＢに含まれた情報が確認されるのかを確認する。もし、前記ＭＩＢのデコーディングが失敗されたなら、前記端末はステップ１１０５に進行して上位基地局との通信を続ける。
【０１４６】
一方、前記ＭＩＢのデコーディングが成功されたなら、前記端末はステップ１１１３に進行してＳＩＢをデコーでリニングすることで、下位基地局への接続のための情報を確認する。即ち、前記ＳＩＢは、前記ＭＩＢを受信したサブフレームから一定時間間隔以降のサブフレームを介して受信されるため、前記端末は前記ＳＩＢが受信されると予想されるサブフレームセットで前記ＳＩＢをデコーディングし、前記下位基地局の動作周波数情報、ＳＩＢ−ＩＷ転送用サブフレームセットの送信スケジューリング情報及び前記下位基地局への接続可能可否を判断するための情報を確認する。前記ＳＩＢ−ＩＷ転送用サブフレームセットの送信スケジューリング情報は、予め定義された多数の転送タイプのうち一つを示すインデックスの形態で構成されてもよい。
【０１４７】
次に、前記端末はステップ１１１５に進行し、前記ＳＩＢを介して確認された情報を利用して前記下位基地局にハンドオーバが可能であるのか判断する。即ち、前記端末は前記下位基地局のＣＳＧ適用可否、現在のＣＳＧモードなどを考慮し、ハンドオーバの可能可否を判断する。例えば、前記下位基地局ＣＳＧを適用されてないか、又は、ＣＳＧを適用しても公開モードである場合、前記端末は前記下位基地局にハンドオーバが可能であると判断する。一方、前記下位基地局ＣＳＧを適用され、閉鎖モード又は複合モードである場合、前記端末は前記下位基地局への接続が許容されるのか否かを判断することで前記ハンドオーバの可能可否を判断する。もし、前記下位基地局へのハンドオーバが不可能であれば、前記端末はステップ１１０５に進行して上位基地局との通信を続ける。
【０１４８】
もし、前記下位基地局へのハンドオーバが可能であれば、前記端末はステップ１１１７に進行し、前記下位基地局へのハンドオーバの手順を行う。具体的に、前記端末は前記上位基地局に前記ＳＩＢの受信が成功したことを知らせるメッセージ、例えば、測定報告メッセージを送信し、前記上位基地局からハンドオーバの受諾可否を知らせるメッセージ、例えば、ハンドオーバ命令メッセージを受信する。
【０１４９】
図１６は、本発明の第４実施例による広帯域無線通信システムにおいて、端末の動作の手順を示している。前記図１６は、ＳＩＢ及びＳＩＢ−ＩＷを含むＳＩＢ−ＩＷ転送用サブフレームセットが非同期式で送信される場合、前記ＳＩＢ−ＩＷ転送用サブフレームセットを受信するための前記端末の動作の手順を示している。
【０１５０】
前記図１６を参照すると、前記端末はステップ１２０１で上位基地局と通信を行う途中、前記上位基地局の動作周波数帯域で下位基地局の同期信号の検出を試みる。前記ＳＩＢ−ＩＷのための同期信号の検出は周期的に試みられ、前記ＳＩＢ−ＩＷのために割り当てられたプリアンブルシーケンスを利用して行われる。
【０１５１】
次に、前記端末はステップ１２０３に進行し、前記下位基地局の同期信号が検出されるのかを確認する。言い換えると、前記端末は前記下位基地局のＳＩＢ−ＩＷ転送用サブフレームセットのために割り当てられたプリアンブルシーケンスのうち一つで構成された同期信号が検出されるのかを確認する。もし、前記ＳＩＢ−ＩＷのための同期信号が検出されないと、前記端末はステップ１２０５に進行して上位基地局との通信を続ける。
【０１５２】
一方、前記ＳＩＢ−ＩＷのための同期信号が検出されると、前記端末はステップ１２０７に進行し、検出された同期信号の受信強度が臨界値以上であるのか確認する。即ち、前記端末は前記検出された同期信号を送信した下位基地局とのチャンネル状態が通信を行えるほど良好であるのか判断する。もし、前記検出された同期信号の受信強度が臨界値より小さいと、前記端末は前記ステップ１２０５に進行して上位基地局との通信を続ける。
【０１５３】
一方、前記検出された同期信号の受信強度が臨界値以上であると、前記端末はステップ１２０９に進行し、前記同期信号を送信した下位基地局のＭＩＢのデコーディングを試みる。即ち、前記端末は、前記同期信号を利用して前記下位基地局との同期を獲得し、前記同期信号に続いて送信される前記ＭＩＢのデコーディングを試みる。この際、前記同期信号、即ち、同期信号及び前記ＭＩＢは同じサブフレームを介して受信され得るため、前記同期信号を検出したサブフレームのＭＩＢのデコーディングを試みるか、又は、前記同期信号を検出したサブフレームからＭＩＢ送信周期を考慮して一定時間が経過した後受信されるＭＩＢのデコーディイングを試みる。
【０１５４】
次に、前記端末はステップ１２１１に進行し、前記ＭＩＢのデコーディングが成功されたのかを確認する。例えば、前記端末はＣＲＣ検証の結果エラーが発生せず、前記ＭＩＢに含まれた情報が確認されるのかを確認する。もし、前記ＭＩＢのデコーディングが失敗されたなら、前記端末は前記ステップ１２０５に進行し、上位基地局との通信を続ける。
【０１５５】
一方、前記ＭＩＢのデコーディングが成功したなら、前記端末はステップ１２１３に進行し、制御チャンネルを介してＳＩＢのための資源割り当て情報を確認する。即ち、前記端末はＳＩＢを含むサブフレームの制御チャンネルをデコーディングすることで、前記ＳＩＢの位置及びＭＣＳレベルなどの前記ＳＩＢをデコーディングするために必要な情報を確認する。
【０１５６】
次に、前記端末はステップ１２１５に進行し、前記ＳＩＢをデコーディングすることでＳＩＢ−ＩＷのスケジューリング情報を確認する。ここで、前記ＳＩＢ−ＩＷのスケジューリング情報は、前記ＳＩＢ−ＩＷが送信されるサブフレームの番号及び周期のうち少なくとも一つを含む。
【０１５７】
前記ＳＩＢ−ＩＷのスケジューリング情報を確認した後、前記端末はステップ１２１７に進行して前記スケジューリング情報に応じて前記ＳＩＢ−ＩＷをデコーディングし、これで前記下位基地局への接続のための情報を確認する。即ち、前記端末は前記ＳＩＢをデコーディングすることで前記下位基地局の動作周波数情報、ＳＩＢ−ＩＷ転送用サブフレームセットの送信スケジューリング情報及び前記下位基地局への接続可能可否を判断するための情報を確認する。前記ＳＩＢ−ＩＷ転送用サブフレームセットの送信スケジューリング情報は、予め定義された多数の転送タイプのうち一つを示すインデックスの形態で構成されてもよい。
【０１５８】
次に、前記端末はステップ１２１９に進行し、前記ＳＩＢ−ＩＷを介して確認された情報を利用して前記下位基地局へのハンドオーバが可能であるのか判断する。即ち、前記端末は前記下位基地局のＣＳＧ適用可否、現在のＣＳＧモードなどを考慮してハンドオーバの可能可否を判断する。例えば、前記下位基地局がＣＳＧを適用されないか、又は、ＣＳＧを適用されても公開モードである場合、前記端末は前記下位基地局にハンドオーバが可能であると判断する。一方、前記下位基地局がＣＳＧを適用され、閉鎖モード又は複合モードである場合、前記端末は前記下位基地局への接続の許容されるのか否かを判断することで前記ハンドオーバの可能可否を判断する。もし、前記下位基地局へのハンドオーバが不可能であれば、前記端末は前記ステップ１２０５に進行して上位基地局との通信を続ける。
【０１５９】
一方、前記下位基地局へのハンドオーバが可能であれば、前記端末はステップ１２２１に進行し、前記下位基地局へのハンドオーバの手順を行う。具体的に、前記端末は、前記上位基地局に前記ＳＩＢ−ＩＷの受信が成功したことを知らせるメッセージ、例えば、測定報告メッセージを送信し、前記上位基地局からのハンドオーバの受諾可否を知らせるメッセージ、例えば、ハンドオーバ命令メッセージを受信する。
【０１６０】
図１７は、本発明の第５実施例による広帯域無線通信システムにおいて、端末の動作の手順を示している。前記図１７は、ＳＩＢｘを含むＳＩＢ−ＩＷ転送用サブフレームセットが非同期式で送信される場合、前記ＳＩＢ−ＩＷ転送用サブフレームセットを受信するための前記端末の動作の手順を示している。
【０１６１】
前記図１７を参照すると、前記端末はステップ１３０１で、上位基地局との通信を行う途中前記上位基地局の動作周波数帯域で下位基地局の同期信号の検出を試みる。前記ＳＩＢ−ＩＷのための同期信号の検出は周期的に試みられ、前記ＳＩＢ−ＩＷのために割り当てられたプリアンブルシーケンスを利用して行われる。
【０１６２】
次に、前記端末はステップ１３０３に進行し、前記下位基地局の同期信号が検出されるのかを確認する。言い換えると、前記端末は前記下位基地局のＳＩＢ−ＩＷ転送用サブフレームセットのために割り当てられたプリアンブルシーケンスのうち一つで構成された同期信号が検出されるのかを確認する。もし、前記ＳＩＢ−ＩＷのための同期信号が検出されないと、前記端末はステップ１３０５に進行して上位基地局との通信を続ける。
【０１６３】
一方、前記ＳＩＢ−ＩＷのための同期信号が検出されると、前記端末はステップ１３０７に進行し、検出された同期信号の受信強度が臨界値以上であるのか確認する。即ち、前記端末は前記検出された同期信号を送信した下位基地局とのチャンネル状態が通信を行えるほど良好であるのか判断する。もし、前記検出された同期信号の受信強度が臨界値より小さいと、前記端末は前記ステップ１３０５に進行して上位基地局との通信を続ける。
【０１６４】
一方、前記検出された同期信号の受信強度が臨界値以上であると、前記端末はステップ１３０９に進行し、前記同期信号を送信した下位基地局のＭＩＢのデコーディングを試みる。即ち、前記端末は、前記同期信号を利用して前記下位基地局との同期を獲得し、前記同期信号に続いて送信される前記ＭＩＢのデコーディングを試みる。この際、前記同期信号、即ち、同期信号及び前記ＭＩＢは同じサブフレームを介して受信されるため、前記同期信号を検出したサブフレームのＭＩＢのデコーディングを試みるか、又は、前記同期信号を検出したサブフレームからＭＩＢ送信周期が経過した後受信されるＭＩＢのデコーディングを試みる。
【０１６５】
次に、前記端末はステップ１３１１に進行し、前記ＭＩＢのデコーディングが成功したのかを確認する。例えば、前記端末はＣＲＣ検証の結果エラーが発生せず、前記ＭＩＢに含まれた情報が確認されるのかを確認する。もし、前記ＭＩＢのデコーディングが失敗したならば、前記端末は前記ステップ１３０５に進行し、上位基地局との通信を続ける。
【０１６６】
一方、前記ＭＩＢのデコーディングが成功したならば、前記端末はステップ１３１３に進行し、制御チャンネルを介してＳＩＢｘのための資源割り当て情報を確認する。即ち、前記端末はＳＩＢｘを含むサブフレームの制御チャンネルをデコーディングすることで、前記ＳＩＢｘの位置及びＭＣＳレベルなどの前記ＳＩＢｘをデコーディングするために必要な情報を確認する。
【０１６７】
前記ＳＩＢｘのための資源割り当て情報を確認した後、前記端末はステップ１３１５に進行し、前記資源割り当て情報に応じて前記ＳＩＢｘをデコーディングし、これで前記下位基地局への接続のための情報を確認する。即ち、前記端末は前記ＳＩＢｘをデコーディングすることで前記下位基地局の動作周波数情報、ＳＩＢ−ＩＷ転送用サブフレームセットの送信スケジューリング情報及び前記下位基地局への接続可能可否を判断するための情報を確認する。前記ＳＩＢ−ＩＷ転送用サブフレームセットの送信スケジューリング情報は、予め定義された多数の転送タイプのうち一つを示すインデックスの形態で構成されてもよい。
【０１６８】
次に、前記端末はステップ１３１７に進行し、前記ＳＩＢｘを介して確認された情報を利用して前記下位基地局へのハンドオーバが可能であるのか判断する。即ち、前記端末は前記下位基地局のＣＳＧ適用可否、現在のＣＳＧモードなどを考慮してハンドオーバの可能可否を判断する。例えば、前記下位基地局がＣＳＧを適用しないか、又は、ＣＳＧを適用しても公開モードである場合、前記端末は前記下位基地局にハンドオーバが可能であると判断する。一方、前記下位基地局がＣＳＧを適用され、閉鎖モード又は複合モードである場合、前記端末は前記下位基地局への接続の許容されるのか否かを判断することで前記ハンドオーバの可能可否を判断する。もし、前記下位基地局へのハンドオーバが不可能であれば、前記端末は前記ステップ１３０５に進行して上位基地局との通信を続ける。
【０１６９】
一方、前記下位基地局へのハンドオーバが可能であれば、前記端末はステップ１３１９に進行し、前記下位基地局へのハンドオーバの手順を行う。具体的に、前記端末は、前記上位基地局に前記ＳＩＢｘの受信が成功したことを知らせるメッセージ、例えば、測定報告メッセージを送信し、前記上位基地局からのハンドオーバの受諾可否を知らせるメッセージ、例えば、ハンドオーバ命令メッセージを受信する。
【０１７０】
前記図２乃至図１５を参照して、本発明は本発明の多様な実施例によるＳＩＢ−ＩＷの送信法案を説明した。上述した実施例において、端末は下位基地局のＳＩＢ−ＩＷ又はＳＩＢ−ＩＷ転送用サブフレームセットに含まれたＳＩＢを受信することで前記下位基地局への接続可能可否を判断し、ハンドオーバを行うことができる。この際、前記ＳＩＢ−ＩＷ又はＳＩＢ−ＩＷ転送用サブフレームセットに含まれたＳＩＢの送信周期を減少させると、前記端末は前記下位基地局への接続可能可否を判断する機会を更に多く与えられるようになる。しかし、前記ＳＩＢ−ＩＷ又はＳＩＢ−ＩＷ転送用サブフレームセットに含まれたＳＩＢを頻繁に送信することはシステムのオーバヘッドと作用する。従って、システムのオーバヘッドを最小化し、且つ前記下位基地局への接続可能可否を判断する機会を増加させる方案が要求される。これによって、本発明は上述した実施例に追加的に実施可能な以下のような方案を提案する。
【０１７１】
上述したように、前記下位基地局への接続可能可否を判断する機会を増やすため、本発明は前記端末が下位基地局への接続可能可否を判断するための最小限の情報のみを含む新しいＳＩＢを定義し、本発明の実施例による下位基地局は、前記新しいＳＩＢを前記ＳＩＢ−ＩＷ又はＳＩＢ−ＩＷ転送用サブフレームセットに含まれたＳＩＢの送信周期より短い周期で送信する。例えば、前記新しいＳＩＢは、セルグローバルＩＤ及びＣＳＧ  ＩＤのみを含んでもよい。以下、説明の便宜のため、前記新しいＳＩＢをＳＩＢｘと称する。
【０１７２】
従って、前記端末は、下位基地局への接続可能可否を判断するために前記下位基地局のＭＩＢを検出した後、前記ＳＩＢｘをデコーディングする。詳細に説明すると、前記端末は前記ＭＩＢを介して前記下位基地局との同期を獲得した後、予め約束された位置のサブフレームで前記ＳＩＢｘを受信する。このため、前記端末は前記サブフレームの制御チャンネルを介して受信される資源割り当て情報を利用して前記ＳＩＢｘの位置を確認し、前記サブフレーム内のデータチャンネルに存在するＳＩＢｘをデコーディングすることで前記下位基地局のセルグローバルＩＤ及びＣＳＧ  ＩＤを獲得した後、前記下位基地局への接続可能可否を判断する。しかし、接続制御（ａｃｃｅｓｓ  ｃｏｎｔｒｏｌ）を必要としない基地局は前記ＳＩＢｘを送信しない。例えば、３ＧＰＰ  ＬＴＥ  Ｒｅｌｅａｓｅ８のマクロｅＮＢは接続可能可否の確認を要求しないため、即ち、前記接続制御を必要としないため、前記ＳＩＢｘを送信しない。
【０１７３】
図１８は、本発明の実施例による広帯域無線通信ンシステムにおいて、ＳＩＢｘ送信周期の例を示している。前記図１８は、前記ＳＩＢｘがフレーム当たり２回送信される場合の例を示している。
【０１７４】
前記図１８に示したように、前記ＳＩＢｘは転送周期１４１０ごとにバースト区間（ｂｕｒｓｔ  ｄｕｒａｔｉｏｎ）１４２０内でフレーム当たり２回送信され、一つのバースト区間１４２０が経過すると次の転送周期１４１０の到来時まで送信されない。従って、前記バースト区間１４２０の長さが前記転送周期１４１０と同じであれば前記ＳＩＢｘは一定な周期によって持続的に送信され、前記バースト区間１４２０の長さが減少されると前記ＳＢＩｘが送信されない区間が現れる。従って、システムは前記バースト区間１４２０の長さを適切に調節することで、上位基地局への干渉の発生を抑制し、下位基地局の転送率の損失を最小化することができる。
【０１７５】
前記下位基地局の動作の側面から見てみると、前記下位基地局は搬送波周波数ｆ２を介して通信を行い、前記ＳＩＢｘの時点が到来すると、前記バースト区間１４２０の間前記ＳＩＢｘをマクロ基地局の搬送波周波数であるｆ１を介して送信する。これによって、前記バースト区間１４２０の間前記ｆ２を介して２つのヌル（ｎｕｌｌ）サブフレームを含むフレーム１４３０が送信され、前記ｆ１を介して２つのサブフレームのみを含むフレーム１４４０が送信される。この際、各フレーム内で前記２つのサブフレームの番号は固定される。言い換えると、前記下位基地局は固定された番号のサブフレームを介して一定時間間隔で前記ＳＩＢｘを送信する。この際、前記ＳＩＢｘの送信は、図２、図３、図６乃至図８に示した実施例のうち一つによって送信される。
【０１７６】
前記ＳＩＢｘの特徴を再びまとめてみると以下のようである。一、前記ＳＩＢｘは、接続制御に関する情報を含んでもよい。二、前記ＳＩＢｘは基本的に通信のために必要なシステム情報を含み、前記ＳＩＢｘを送信する基地局への迅速なハンドオーバ及び前記基地局の状態示す情報、例えば、ダウンリンク周波数情報及び接続モードに関する情報を含む。三、前記ＳＩＢｘの転送周期は、前記ＳＩＢｘを送信する基地局の剰余資源量、負荷量などを考慮して調節される。四、前記ＳＩＢｘは周波数内ハンドオーバ及び周波数間ハンドオーバとは関係なく、上位基地局の動作周波数を介して送信される。
【０１７７】
上述したように、階層的なセル構造を有する無線通信システムにおいて、ＳＩＢ−ＩＷ又はＳＩＢｘを利用することで上位基地局に接続された端末が下位基地局へのハンドオーバを行ってもよい。上述した本発明の実施例は、前記上位基地局及び前記下位基地局が同じ無線通信システムに属した場合はもちろん、前記上位基地局及び前記下位基地局が互いに異なる無線通信システムに属する場合にも適用され得る。具体的な例として、前記下位基地局は３ＧＰＰ  ＬＴＥシステムに属し、前記上位基地局はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に属する場合、前記ＬＴＥシステム及び前記ＵＭＴＳの間でハンドオーバが可能であれば、本発明の実施例が適用されることができる。この場合、上述した本発明の実施例において、ｆ１はＵＭＴＳの帯域となり、ｆ２はＬＴＥシステムの帯域となる。これによって、前記下位基地局はシステム情報の送信の際、前記ＵＭＴＳの帯域に動作周波数を変更した後、前記ＵＭＴＳの転送規格に応じてＳＩＢ−ＩＷ、ＳＩＢｘ又はＳＩＢ−ＩＷ転送用サブフレームセットを送信する。この際、前記ＳＩＢ−ＩＷ、前記ＳＩＢｘ又は前記ＳＩＢ−ＩＷ転送用サブフレームセットの送信周期は、２０ｍｓ又は２０ｍｓの整数の倍数として設定されることが好ましい。
【０１７８】
図１９は、本発明の実施例による広帯域無線通信システムにおける、上位基地局のブロック構成を示している。
【０１７９】
前記図１９に示したように、前記上位基地局は、メッセージ生成機１５０２、データ信号生成機１５０４、同期信号生成機１５０６、フレームマッピング機１５０８、ＯＦＤＭ変調機１５１０、ＲＦ送信機１５１２、有線通信機１５１４、制御部１５１６を含んで構成される。
【０１８０】
前記メッセージ生成機１５０２は、セル内の端末に送信される制御メッセージ信号を生成する。即ち、前記メッセージ生成機１５０２は送信される制御情報を含むメッセージを作成し、前記メッセージのビット列を符号化及び変調することでメッセージ信号を生成する。例えば、前記メッセージ生成機１５０２は、ＭＩＢを介して送信されるシステム情報を含む放送メッセージ及び毎サブフレームごとに制御チャンネルを介して送信される資源割り当て情報を含むメッセージを生成する。
【０１８１】
前記データ信号生成機１５０４は、前記セル内の端末に送信されるデータ信号を生成する。即ち、前記データ信号生成機１５０４は、前記制御部１５１６から提供される資源割り当ての結果に応じて該当端末への送信データを符号化及び変調することで、前記データ信号を生成する。前記同期信号生成機１５０６は、時間同期のためのＰＳＳ及びフレーム同期のためのＳＳＳを生成する。
【０１８２】
前記フレームマッピング機１５０８は、前記メッセージ生成機１５２０、前記データ信号生成機１５０４及び前記同期信号生成機１５０６から提供される信号を資源にマッピングすることでフレームを構成する。この際、前記データ信号をマッピングする場合、前記フレームマッピング機１５０８は一定のパターンに応じて前記データ信号の間に参照信号をマッピングする。ここで、前記ＳＩＢ−ＩＷ区間は前記ＳＩＢ−ＩＷの送信のために割り当てられる時間及び周波数資源区間であり、前記上位基地局がデータ信号を送信せず、参照信号のみを送信する区間である。前記ＯＦＤＭ変調機１５１０は、ＩＦＦＴ演算及びＣＰ挿入を介して前記フレームマッピング機１５０８によってマッピングされた信号からＯＦＤＭシンボルを構成する。前記ＲＦ送信機１５１２は、前記ＯＦＤＭシンボルを動作周波数帯域の信号に変換した後、アンテナ介して送信する。
【０１８３】
前記有線通信機１５１４は、有線網を介して他の上位基地局、セル内の下位基地局及び上位ノードと通信を行うためのインターフェースを提供する。
【０１８４】
前記制御部１５１６は、前記上位基地局の全般的な機能を制御する。前記制御部１５１６に含まれた下位基地局管理機１５１８は、セル内に設置された下位基地局に関する情報を管理する。これによって、前記制御部１５１６は、前記ＳＩＢ−ＩＷの送信時点及び前記ＳＩＢ−ＩＷ区間に対する情報を前記メッセージ生成機１５０２及び前記有線通信機１５１４に提供する。また、前記下位基地局管理機１５１８は前記ＳＩＢ−ＩＷ区間の資源をデータ送信のために割り当てないため、資源割り当て機１５２０に前記ＳＩＢ−ＩＷ区間の位置を通知する。前記資源割り当て機１５２０は、接続された端末に資源を割り当てる。但し、前記資源割り当て機１５２０は、前記ＳＩＢ−ＩＷ区間内の資源を除いた残りの資源を割り当てる。
【０１８５】
図２０は、本発明の実施例による広帯域無線通信システムにおける、下位基地局のブロック構成を示している。
【０１８６】
前記図２０に示したように、前記下位基地局は、有線通信機１６０２、制御部１６０４、同期信号生成機１６０６、データ信号生成機１６０８、メッセージ生成機１６１０、フレームマッピング機１６１２、ＯＦＤＭ変調機１６１４、ＲＦ送信機１６１６を含んで構成される。
【０１８７】
前記有線通信機１６０２は、有線網を介して上位基地局及び上位ノードと通信を行うためのインターフェースを提供する。
【０１８８】
前記制御部１６０４は、前記下位基地局の全般的な機能を制御する。特に、前記制御部１６０４は、前記下位基地局への接続に必要な情報を提供するＳＩＢ−ＩＷ又はＳＩＢｘを送信するための機能を制御する。具体的に説明すると、前記制御部１６０４は、前記ＳＩＢ−ＩＷ又は前記ＳＩＢｘの送信時点を決定し、前記ＳＩＢ−ＩＷ又はＳＩＢｘを生成するようにシステム情報を前記メッセージ生成機１６１０に提供し、前記ＳＩＢ−ＩＷ又は前記ＳＩＢｘの送信周波数を調節する。本発明の第１実施例による場合、前記制御部１６０４は、前記上位基地局又は上位網要素から受信されたＳＩＢ−ＩＷ設定情報に含まれたＳＩＢ−ＩＷスケジューリング情報を介して前記ＳＩＢ−ＩＷの送信時点を決定する。一方、本発明の第２実施例及び第３実施例による場合、前記制御部１６０４は自らの判断によって前記ＳＩＢ−ＩＷの送信時点を決定する。また、前記制御部１６０４は、接続された端末への信号送信の際、前記下位基地局の動作周波数にダウンリンク信号を送信するように前記ＲＦ送信機１６１６を制御し、前記ＳＩＢ−ＩＷ送信の際、前記上位基地局の動作主端数に信号を送信するように前記ＲＦ送信機１６１６を制御する。特に、本発明の第３実施例による場合、ＳＩＢ−ＩＷ転送用サブフレームセットを送信するサブフレーム区間が到来した際、前記制御部１６０４は予め決められた順番によって同期信号及びＭＩＢを含む第１タイプサブフレーム、同期信号を含む第２タイプサブフレーム、同期信号及びＳＩＢを含む第３タイプサブフレームのうち一つを送信するように制御する。本発明の第４実施例による場合、ＳＩＢ−ＩＷ転送用サブフレームセットを送信するサブフレーム区間が到来した際、前記制御部１６０４は予め決められた順番によって同期信号及びＭＩＢを含む第１タイプサブフレーム、同期信号を含む第２タイプサブフレーム、同期信号、ＳＩＢ及びＳＩＢ−ＩＷを含む第３タイプサブフレームのうち一つを送信するように制御する。本発明の第５実施例による場合、ＳＩＢ−ＩＷ転送用サブフレームセットを送信するサブフレーム区間が到来した際、前記制御部１６０４は予め決められた順番によって同期信号及びＭＩＢを含む第１タイプサブフレーム、同期信号を含む第２タイプサブフレーム、同期信号及びＳＩＢｘを含む第３タイプサブフレームのうち一つを送信するように制御する。ここで、前記ＳＩＢ−ＩＷ転送用サブフレームセットが送信されるサブフレーム区間は、前記下位基地局が前記下位基地局の動作周波数で同期信号を送信する区間を除いた残りの区間に位置する。この際、前記制御部１６０４は、前記下位基地局の動作周波数帯域で一つ又は多数のサブフレーム区間の間通信を一時的に中断する。ここで、前記通信が中断される区間のサブフレームの個数は、動作周波数変更のための所要時間に応じて決定される。
【０１８９】
前記同期信号生成機１６０６は、前記下位基地局に接続された端末の時間同期のためのＰＳＳ及びフレーム同期のためのＳＳＳを生成する。特に、本発明の第１実施例による場合、前記同期信号生成機１６０６は前記ＳＩＢ−ＩＷのための同期信号を生成する。例えば、前記ＰＳＳ及び前記ＳＳＳが前記ＳＩＢ−ＩＷのための同期信号として使用されてもよい。この場合、前記ＳＩＢ−ＩＷの送信時点が到来すると、前記同期信号生成機１６０６は前記同期信号を生成した後、前記同期信号を前記フレームマッピング機１６１２に提供する。
【０１９０】
前記データ信号生成機１６０８は、前記下位基地局に接続された端末に送信されるデータ信号を生成する。即ち、前記データ信号生成機１６０８は、前記制御部１６０４から提供される資源割り当て結果に応じて該当端末への送信データを符号化及び変調することで前記データ信号を生成する。前記メッセージ生成機１６１０は、端末に送信される制御メッセージ信号を生成する。特に、本発明の実施例によって、前記メッセージ生成機１６１０は前記ＳＩＢ−ＩＷ信号を生成する。即ち、前記メッセージ生成機１６１０は、前記下位基地局のシステム情報を含むメッセージを作成し、符号化及び変調を介して前記メッセージを複素シンボルに変換した後、スクランブリングを行うことで前記ＳＩＢ−ＩＷ信号を生成する。この際、前記メッセージ生成機１６１０は、前記ＳＩＢ−ＩＷのために予め定義されたチャンネルコーディング方式、変調方式、スクランブリングコードを適用する。即ち、本発明の第１実施例及び第２実施例のうち一つによる場合、前記メッセージ生成機１６１０及び前記同期信号生成機１６０６によって前記ＳＩＢ−ＩＷが生成される。また、本発明の第３実施例、第４実施例及び第５実施例のうち一つによる場合、前記メッセージ生成機１６１０はＳＩＢ−ＩＷ又はＳＩＢｘが送信されるサブフレームの制御チャンネルを介して送信される前記ＳＩＢ−ＩＷ又は前記ＳＩＢｘのための資源割り当て情報を含むメッセージを生成する。
【０１９１】
前記フレームマッピング機１６１２は、前記同期信号生成機１６０６、前記データ信号生成機１６０８及び前記メッセージ生成機１６１０から提供される信号を資源にマッピングすることでフレームを構成する。この際、前記データ信号をマッピングする場合、前記フレームマッピング機１６１２は一定のパターンに応じて前記データ信号の間に参照信号をマッピングする。特に、本発明の実施例による場合、前記フレームマッピング機１６１２は、前記制御部１６０４の制御によってＳＩＢ−ＩＷを含むフレーム又は前記ＳＩＢ−ＩＷを含まないフレームを構成する。例えば、前記下位基地局が前記上位基地局と同じ構造のフレームを使用する場合、前記フレームマッピング機１６１２は多数のサブフレームを含むが、毎サブフレームの前端に制御チャンネルを含み、一部のサブフレームに同期信号及びＭＩＢを含み、特に、前記ＳＩＢ−ＩＷを含むフレームを構成する。
【０１９２】
本発明の第１実施例又は第２実施例による場合、前記ＳＩＢ−ＩＷは非同期方式によって送信されるため、前記フレームマッピング機１６１２は前記上位基地局の参照信号のための資源の位置を考慮せず前記ＳＩＢ−ＩＷ信号をマッピングする。また、前記フレームマッピング機１６１２は、参照信号と共にＳＩＢ−ＩＷをフレームにマッピングする。
【０１９３】
本発明の第１実施例又は第２実施例により、アンテナポートが一つで、一般ＣＰが適用される場合、前記フレームマッピング機１６１２は二つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボルの次のシンボル内の一部のトーンに一定間隔で前記参照信号をマッピングする。例えば、前記フレームマッピング機１６１２は、前記１番目のシンボルの周波数軸から６ｎ番目のトーン及び前記４番目のシンボルの次のシンボルの周波数軸から６ｎ−３番目のトーンに前記参照信号をマッピングする。ここで、前記ｎは正の整数である。
【０１９４】
本発明の第１実施例又は第２実施例により、アンテナポートが一つで、拡張ＣＰが適用される場合、前記フレームマッピング機１６１２は二つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部のトーンに一定間隔で前記参照信号をマッピングする。例えば、前記フレームマッピング機１６１２は、前記１番目のシンボルの周波数軸から６ｎ番目のトーン及び前記４番目のシンボルの周波数軸から６ｎ−３番目のトーンに前記参照信号をマッピングする。ここで、前記ｎは正の整数である。
【０１９５】
本発明の第１実施例又は第２実施例により、アンテナポートが２つで、一般ＣＰが適用される場合、前記フレームマッピング機１６１２は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボルの次のシンボル内の一部のトーンに一定間隔で各アンテナの参照信号をマッピングする。例えば、前記フレームマッピング機１６１２は、前記１番目のシンボルの周波数軸から６ｎ番目のトーン及び前記４番目のシンボルの次のシンボルの周波数軸から６ｎ−３番目のトーンに第１アンテナの参照信号をマッピングし、前記１番目のシンボルの周波数軸から６ｎ−３番目のトーン及び前記４番目のシンボルの次のシンボルの周波数軸から６ｎ番目のトーンに第２アンテナの参照信号をマッピングする。ここで、前記ｎは正の整数である。
【０１９６】
本発明の第１実施例又は第２実施例により、アンテナポートが２つで、拡張ＣＰが適用される場合、前記フレームマッピング機１６１２は２つのシンボルに前記同期信号を、前記２つのシンボルに続く４つのシンボルに前記ＳＩＢ−ＩＷ情報信号をマッピングするが、前記ＳＩＢ−ＩＷ情報信号をマッピングしたシンボルのうち１番目のシンボル及び４番目のシンボル内の一部のトーンに一定間隔で各アンテナの参照信号をマッピングする。例えば、前記フレームマッピング機１６１２は、前記１番目のシンボルの周波数軸から６ｎ番目のトーン及び前記４番目のシンボルの周波数軸から６ｎ−３番目のトーンに第１アンテナの参照信号をマッピングし、前記１番目のシンボルの周波数軸から６ｎ−３番目のトーン及び前記４番目のシンボルの周波数軸から６ｎ番目のトーンに第２アンテナの参照信号をマッピングする。ここで、前記ｎは正の整数である。
【０１９７】
本発明の第３実施例、第４実施例又は第５実施例による場合、前記フレームマッピング機１６１２は、前記制御部１６０４の制御によって前記第１タイプサブフレーム、前記第２タイプサブフレーム及び前記第３タイプサブフレームのうち一つを構成する。
【０１９８】
前記ＯＦＤＭ変調機１６１４は、ＩＦＦＴ演算及びＣＰ挿入を介して前記フレームマッピング機１６１２によってマッピングされた信号からＯＦＤＭシンボルを個性する。前記ＲＦ送信機１６１６は、前記ＯＦＤＭシンボルを前記制御部１６０４によって制御される周波数帯域の信号に変換した後、アンテナ介して送信する。
【０１９９】
図２１は、本発明の実施例による広帯域無線通信システムにおいて、端末のブロック構成を示している。
【０２００】
前記図２１に示したように、前記端末は、ＲＦ受信機１７０２、ＯＦＤＭ復調機１７０４、フレームジマッピング機（demapper）１７０６、同期信号検出器１７０８、メッセージ解釈機(analyzer)１７１０、データ解釈機１７１２、制御部１７１４を含んで構成される。
【０２０１】
前記ＲＦ受信機１７０２は、接続中のｅＮＢの動作周波数帯域の信号を基底帯域信号にダウン変換する。前記ＯＦＤＭ復調機１７０４は前記基底帯域信号をＯＦＤＭシンボルに分割し、ＣＰを除去した後、ＦＦＴ（Ｆａｓｔ  Ｆｏｕｒｉｅｒ  Ｔｒａｎｓｆｏｒｍ）演算を介してフレームにマッピングされた信号を復元する。
【０２０２】
前記フレームジマッピング機１７０６は、前記フレームにマッピングされた信号を処理単位に分けて抽出し、抽出された信号を前記同期信号検出器１７０８、前記メッセージ解釈機１７１０及び前記データ解釈機１７１２に提供する。前記同期信号検出器１７０８によってサービング基地局以外の他のｅＮＢの同期信号が検出された場合、前記フレームジマッピング機１７０６は、前記同期信号に続くシンボルにマッピングされた信号を抽出して前記メッセージ解釈機１７１０に提供する。
【０２０３】
前記同期信号検出器１７０８は、前記フレームジマッピング機１７０６から提供される信号からサービング上位基地局、隣接上位基地局及び下位基地局によって送信されたＰＳＳ及びＳＳＳの検出を試みる。この際、前記隣接上位基地局及び下位基地局によって送信されたＰＳＳ及びＳＳＳの検出はバックグラウンド動作であるセル検索手順によって行われるものであり、持続的に行われる。前記データ解釈機１７１２は、前記フレームジマッピング機１７０６から提供される信号からデータを復元する。
【０２０４】
前記メッセージ解釈機１７１０は、前記フレームジマッピング機１７０６から提供される信号から制御メッセージを復元し、前記制御メッセージに含まれた情報を確認する。特に、本発明の第１実施例による場合、前記メッセージ解釈機１７１０はサービング上位基地局のＭＩＢを介して受信された放送メッセージからＳＩＢ−ＩＷ設定情報を確認し、前記ＳＩＢ−ＩＷ設定情報を前記制御部１７１４に提供する。また、本発明の実施例によって、前記メッセージ解釈機１７１０は下位基地局によって送信されるＳＩＢ−ＩＷの受信に成功すると、これを前記制御部１７１４に知らせる。
【０２０５】
本発明の第１実施例又は第２実施例による場合、前記メッセージ解釈機１７１０は、前記同期信号検出器１７０８によるセル検索手順を介して検出された同期信号に続くＭＩＢ介して受信された信号に対する復調及び復号を行い、前記ＳＩＢ−ＩＷを示すＣＲＣマスクを利用してＣＲＣ検証を行った後、前記ＣＲＣ検証の成功可否に応じて前記ＳＩＢ−ＩＷの受信可否を判断する。例えば、アンテナポートが一つである場合、前記ＳＩＢ−ＩＷを示すＣＲＣマスクは、［１，０，１，０，１，０，１，０，１，０，１，０，１，０，１，０］であってもよく、アンテナポートが２つである場合、前記ＳＩＢ−ＩＷに対応する［１，１，１，１，０，０，０，０，１，１，１，１，０，０，０，０］及び［０，０，０，０，１，１，１，１，０，０，０，０，１，１，１，１］であってもよい。
【０２０６】
本発明の第３実施例による場合、前記メッセージ解釈機１７１０は、前記制御部１７１４の制御によって臨界値以上の受信強度を有する同期信号を送信した下位基地局のＳＩＢ−ＩＷ転送用サブフレームセットに含まれるＭＩＢ及びＳＩＢに対する復調及び復号を行う。本発明の第４実施例による場合、前記メッセージ解釈機１７１０は、前記制御部１７１４の制御によって臨界以上の受信強度を有する同期信号を送信した下位基地局のＳＩＢ−ＩＷ転送用サブフレームセットに含まれるＭＩＢ、ＳＩＢ及びＳＩＢ−ＩＷに対する復調及び復号を行う。本発明の第５実施例による場合、前記メッセージ解釈機１７１０は、前記制御部１７１４の制御によって臨界値以上の受信強度を有する同期信号を送信した下位基地局のＳＩＢ−ＩＷ転送用サブフレームセットに含まれるＭＩＢ及びＳＩＢｘに対する復調及び復号を行う。即ち、前記メッセージ解釈機１７１０は、前記受信された同期信号を構成するプリアンブルシーケンスを利用してスクランブリングコードを生成し、前記スクランブリングコードを利用してＳＩＢのデコーディングを試みる。
【０２０７】
前記制御部１７１４は、前記端末の全般的な機能を制御する。特に、本発明の実施例によって、前記制御部１７１４は下位基地局によって送信されるＳＩＢ−ＩＷを受信するための機能を制御する。本発明の第１実施例又は第２実施例による場合、前記同期信号検出器１７０８によってサービング上位基地局以外のｅＮＢの同期信号が検出されると、前記制御部１７１４は前記同期信号に続くＭＩＢを抽出するように前記フレームジマッピング機１７０６を制御し、前記ＭＩＢがＳＩＢ−ＩＷであるのかを確認するよう、前記メッセージ解釈機１７１０を制御する。本発明の第３実施例による場合、前記制御部１７１４は、周期的に下位基地局のＳＩＢ−ＩＷ転送用サブフレームセットに含まれた同期信号を検出するように前記同期信号検出器１７０８を制御し、前記ＳＩＢ−ＩＷ転送用サブフレームセットに含まれた同期信号が検出されると、検出された同期信号の受信強度が臨界値以上であるか否かを判断した後、臨界値以上であれば、前記検出された同期信号を送信した下位基地局のＭＩＢ及びＳＩＢ、ＳＩＢ−ＩＷ又はＳＩＢｘを順次的にデコーディングするよう、前記メッセージ解釈機１７１０を制御する。
【０２０８】
フェムトセルをサポートする広帯域無線通信システムにおいて、フェムト基地局が、本発明が提案する方式によってフェムトセルのシステム情報を送信することで、端末はシステム性能の低下なく、同時に、前記フェムト基地局の動作周波数とは関係なく、前記フェムトセルのシステム情報を受信することができる。
【０２０９】
以上、適切な実施例に対する参照と共に本発明を説明した。しかし、当業者にとって、以下の特許請求の範囲によって定義される発明の範囲を逸脱しない範囲内で、形態及び具体的な内容の多様な変化が可能であることは自明であるといえる。
【符号の説明】
【０２１０】
１１０        上位基地局
１２０        下位基地局
１５０２      メッセージ生成機
１５０４      データ信号生成機
１５０６      同期信号生成機
１５０８      フレームマッピング機
１５１０      ＯＦＤＭ変調機
１５１２      ＲＦ送信機
１５１４      有線通信機
１５１６      制御部
ＳＩＢ        System  Information  Block
ＳＩＢ−ＩＷ  System  Information  Block−InterWorking
ＭＩＢ        Master Information Block
ＰＳＳ        Primary  Synchronization  Signal
ＳＳＳ        Secondary  Synchronization
【図９】
2012523745.tif 000008
【図１０】
2012523745.tif 000009
2012523745.tif 000010
【図１１】
2012523745.tif 000011
【図１２】
2012523745.tif 000012
【図１３】
2012523745.tif 000013
【図１４】
2012523745.tif 000014
【図１５】
2012523745.tif 000015
【図１６】
2012523745.tif 000016
【図１７】
2012523745.tif 000017
【図１８】
2012523745.tif 000018
【図１９】
2012523745.tif 000019
【図２０】
2012523745.tif 000020
【図２１】
2012523745.tif 000021
【図１】
2012523745.tif 000022
【図２】
2012523745.tif 000023
【図３】
2012523745.tif 000024
【図４】
2012523745.tif 000025
【図５】
2012523745.tif 000026
【図６】
2012523745.tif 000027
【図７】
2012523745.tif 000028
【図８】
2012523745.tif 000029
【国際調査報告】
2012523745.tif 000030
2012523745.tif 000031